(57)【要約】      （修正有）【課題】多種多様なイヤホンの多様な特性の、高い測定精度による特性補正を行う。【解決手段】ＰＲＲＧＡＭは、端末器内部のディジタル信号処理部、ＤＥＶＩＣＥは、端末器内部のディジタル信号と電気信号の相互の変換部、ＣＯＮＶＥＲＴは、端末器とイヤホンとの接続を変更する配線部、ＥＡＲＰＨＯＮＥは、計測対象のイヤホンである。左右のイヤホンとマイクロホンの入出力端子を電気的結合し、プレーヤーが持つ伝達特性を1系統の出力と１系統の入力で測定し、左右のイヤホンを音響的に結合させる。左右の一方で電流駆動による測定用信号を再生し、他方で再生音をマイクロホン入力で検出し、測定系の固有の特性を補正の上、左右のイヤホンの共有リード線の電圧降下を、差し引き左右のイヤホンの音響結合特性を求め、音響結合特性から、期待する再生特性へと変換するイヤホンの固有特性の補正特性を求める。【選択図】図１
2017228878.tif 000002
【特許請求の範囲】
【請求項１】
端末器とは、音響信号の入出力機能を備えた、コンピューターまたはプレーヤーまたは携帯電話またはスマートフォンであるとし、
特性とは周波数に対するゲイン特性または強度特性を意味するものとし、
強度とは、実効値または平均値または最大値に相当するところの、信号または特性またはゲインの大きさとし、
測定用信号  とは、音響周波数帯域の、ホワイトノイズまたは正弦波スイープ信号または矩形波信号であって、イヤホンの特性測定のための信号であるものとし、
記号  ＋  −  ＊  ／  は、それぞれ  加算  減算  乗算  除算  の演算子とし、
｛  ｝  内の演算は  ｛  ｝  外に優先するものとし、
F(  )  を、 F   に続く  （  ） 内  に示す  変数群を持つ、特定の関数とし、
ABS(  )  は  (  )  内の項の強度を意味するものとし、
＞＞  は  左の項が右の項に比べ強度が十分に大きいことを意味するものとし、
イヤホンの固有特性  とは、特定のイヤホンに固有の、電気入力に対する音響出力の周波数特性であるとし、
結合ピース  とは、左右のイヤホンの音の出口どうしを音響的に結合するピースとし、
再生側イヤホン  とは、測定用の電気信号を再生する側のイヤホンとし、  
検出側イヤホン  とは、再生側イヤホンの再生音によって結合ピースを介して起電力を発生する側のイヤホンとし、
音響結合  とは、結合ピース  を介した音響結合によって、検出側イヤホンから起電力を発生させることとし、
測定のための  ディジタル信号発生、ディジタル化された信号の扱い、演算処理は  端末器のディジタル信号処理機能によって行われるものとし、
Eg  を、ディジタル信号による測定用信号とし、
第１の機能  を、Eg  を発生する機能とし、
Em  を、ディジタル信号に変換された検出信号とし、
第２の機能  を  Em  を得る機能とし、
Zs  を、ディジタル信号を電気信号へ変換する電子回路の変換特性とし、
Zm を、電気信号をディジタル信号へ変換する電子回路の変換特性とし、
Rm  を、再生側のイヤホンに与える信号を電流源信号とするための、再生側イヤホンに直列に接続する電気抵抗とし、
第３の機能  を、Rm  を用いることとし、
Rc  を、左右のイヤホンのリード線の共通部の電気抵抗とし、
Rl  を、再生側の共通リード線の共通部を除く電気抵抗とし、
Rr  を、検出側の共通リード線の共通部を除く電気抵抗とし、
Zl  を、再生側のイヤホンの電気音響変換部の電気インピーダンスとし、
Zr  を、検出側のイヤホンの音響電気変換部の電気インピーダンスとし、
El  を、再生側イヤホンの起電力とし、
Er  を、検出側イヤホンの起電力とし、
Ec  を、左右のイヤホンの共通リード線の電圧降下とし、
Glr  を、再生側のイヤホンに流す電流に対する、検出側のイヤホンに発生する起電力への結合係数とし、
k  を、調節可能な比例係数とし、
上記の記号に関し、
Rm、Rc、Rl、Rr、k  は複素数でもなく遅延もない比例係数であり、
Zm、Zs、Zl、Zr、Jep、Rep、Qep、Wexp、Uep、Vep  は複素数で表現される定数であり、
Eg、Em、Ec、El、Er、Emc、Eg0、Em0、Ecan  はディジタル信号で表現されるものとし、
Hsm0、Glr  は端末器のディジタル信号処理によって得られるところの、複素数と遅延時間で表現される定数とし、
Em  を  F(Eg, Zs, Rm, Rc, Rl, Rr, Zl, Zr El, Er, Zm）  と表現するものとし、これを
関係１  とし、
Rm  ＞＞  Rc  
Rm  ＞＞  Rl
Rm  ＞＞  ABS(Zl)  
Rm  ＞＞  ABS(Zr)
ABS(Eg＊Zs)  ＞＞  ABS(El)
上の  五つの条件は  再生側イヤホンに加える測定用の電気信号が、Rc  と  Rl  と  Zl  と  El  の影響を無視できる程度に、高出力インピーダンス信号源、即ち電流信号源であることを理由とし、
ABS(Zm  の入力インピーダンス)  ＞＞  Rc
ABS(Zm  の入力インピーダンス)  ＞＞  Rr
ABS(Zm  の入力インピーダンス)  ＞＞  ABS(Zr)
上の  三つの条件は、検出側イヤホンの端子電圧が  Rc  と  Rr  と  Zr  の影響を受けない程度の  高入力インピーダンス測定回路  であることを意味し、
上記八つの条件から、関係１  が
Em  が  F(Eg, Zs, Rm, Rc, Er, Zm）  と表現できることを利用するものとし、
Ec  即ち、Ec＊Zm  が  ディジタル信号では、Eg＊Zs＊｛1／Rm｝＊Rc＊Zm  と計測されることを利用するものとし、
これを
関係２  とし、
再生側のイヤホンを流れる電流が  Eg＊Zs＊｛1／Rm｝  であることを利用するものとし、
Er  が再生側イヤホンを流れる電流に、左右のイヤホンの結合整数を乗じた値として表現されることから、
Er  が  Er＊Zm  即ち、ディジタル信号では、Eg＊Zs＊｛1／Rm｝＊Glr＊Zm  と計測されることを利用するものとし、
これを
関係３  とし、
Em  は  Ec＊Zm  と  Er＊Zm  を加算した値であることから、関係２  と  関係３  により、
Em  を  ｛Eg＊Zs＊｛1／Rm｝＊Rc＊Zm｝＋｛Eg＊Zs＊｛1／Rm｝＊Glr＊Zm｝  と表現できることを利用するものとし、これを
関係４  とし
Eg0  を、検出側イヤホンにつながる端末器イヤホン出力端子と  マイクロホン入力端子を接続したときの  再生出力のディジタル信号とし、
Em0  を、Eg0  が端末器の電子回路を通して検出された、ディジタル信号とし、
Hsm0  を  Em0＊｛1／Eg0｝  とし、さらに、
Hsm0  は  Zs＊Zm  即ち、信号源側から検出側に至る経路で、端末器の電子回路が持つ固有の定数であって、測定範囲内の  Eg  のいかなる信号にも不変であることを利用するものとし、これを
関係５  とし、
Hsm0  を得るための操作、即ち、検出側イヤホンの入力端子から端末器のマイクロホン端子へつながっている接続線を切り離して、端末器の再生側イヤホン端子につながっているイヤホン端子とマイクロホン入力端子とを接続した状態で  Hsm0  を得る機能を
第４の機能  とし、
関係５  を  関係４  に代入すると、
Em  は  ｛Hsm0＊Rc＊｛1／Rm｝＊Eg｝＋｛Hsm0＊Glr＊｛1／Rm｝＊Eg｝
と表現されることを利用するものとし、
Ecan  を  k＊Hsm0＊Eg  とする  ディジタル信号とし、
Ecan  を発生させる機能を
第５の機能  とし、
ABS(Er＊Zm)  ＞＞  ABS(Ec＊Zm−Ecan）  を最大限に満足するところの、即ち、
ABS(Ec＊Zm−Ecan)  が最小になるところの、即ち
ABS(Em−Ecan)  が最小になるところの、
k  即ち  Ecan  の強度の係数を求め、  
kmin  をこのときの  k  とし、
第６の機能  を  kmin  を求める機能とし、
kmin  による  Em−Ecan  が実用上、｛Hsm0＊Glr＊｛1／Rm｝＊Eg｝  に等しくなる、
即ち、ABS(Em−Ecan)  が最小になるところの  Em−Ecan  によって、
Glr  即ち、左右のイヤホンの結合係数が
Rm＊｛1／Hsm0｝＊｛Em−Ecan｝＊｛1／Eg｝  として計測できることを利用するものとし、
左右のイヤホンの結合係数  Glr  を得る機能を
第７の機能  とし、
この結合係数  Glr  の中の、Rm  は比例係数であり、イヤホンの結合係数の音質的特徴とは関係のないファクターであることから、
Rm  を除いた、｛1／Hsm0｝＊｛Em−Ecan｝＊｛1／Eg｝  なる  端末器側で得られたところの全ての項が既知の値で表現される測定演算結果を  左右のイヤホンの結合係数  とし、
Pep＊Pep  が  ｛1／Hsm0｝＊｛Em−Ecan｝＊｛1／Eg｝  に等しくなる  Pep  を  測定したイヤホン固有の音質特性  とし、
Wexp  を、音質補正を作用させることで得たい  補正後の特性とし、
Wexp  は  １  である場合も含む、選択可能な特性であるものとし、
Qep  が  ｛Wexp／Pep｝  に等しくなる  ところの  Qep  を  そのイヤホン固有の  Wexp  への音質補正特性  とし、
Qep  を算出する機能を
第８の機能  とし、
Qep  が比例係数を含むことを考慮に入れて、A  を特定の定数とするところの  A＊Qep  をイヤホン固有の音質補正特性とする機能を
第９の機能  とし、
第８  または  第９  の機能を  音質補正特性決定機能  とし、
第１０の機能  を  音質補正特性決定機能  とし、
いずれも公知の機能であるところの
測定用信号をディジタル信号で発生する  第１の機能  と、
検出信号をディジタル信号で測定する  第２の機能  と、
測定用信号を電流源とする  第３の機能  と、
端末器の、ディジタル信号と電気信号の変換を司る部分の総合特性を得る  第４の機能  と、
イヤホンの共通リード線の起電力を打ち消す信号を発生する  第５の機能  と、
イヤホンの共通リード線の起電力を打ち消す信号の係数を決定する  第６  の機能  と、
左右のイヤホンの結合係数を算出する  第７の機能  と、
測定したイヤホンに固有の音質補正特性を算出する  第１０の機能  と、を組み合わせることで、
端末器の電子回路部の左右の違いによる誤差の影響を回避し、かつ、端末器の固有の特性の影響を補正することで、左右のイヤホンの共通リード線の電圧降下の影響をより高い精度で取り除き、左右のイヤホンの音響結合特性の測定精度を上げることによって得られるイヤホン固有の再生特性から、期待する再生特性へと変換する補正特性を得る手段。
【請求項２】
請求項１の第８の関係で表現される  Pep  なるイヤホン固有の特性の、強度特性が持つ細かい凹凸を平滑化し、滑らかな特性とする機能を  スムーシング機能とし、
平滑化特性  を、スムーシング機能によって得られたイヤホンの固有の特性とし、
ある一点の周波数上の  平滑化特性  を、その周波数近傍の  Rep  の強度の平均値で求めることによって全周波数帯域の平均化特性を求める機能を  特性平均化機能とし、
第１１の機能  を  特性平均化機能  とし、
複数個のパラメーター群  によって表現され、かつ、あらかじめ決定した複数個の境界条件群を満足する  単調関数  を設定し、
その単調関数を周波数に対する強度特性とし、その単調関数の強度特性が  境界条件群を満足し、かつ、特定の周波数範囲の  Rep  の強度特性に最も近くなる条件を満足する  パラメーター群  による単調関数を全帯域にわたり求め、全帯域の単調関数群を平均化特性とする機能を  特性関数表現化機能  とし、
第１２の機能  を  特性関数表現化機能  とし、
第１１の機能である特性平均化機能  かまたは  第１２の機能である特性関数表現化機能  のいずれかを  スムーシング機能とし、
第１３の機能  をスムーシング機能とし、
Uep  を、スムーシング機能によって得られた  平滑化特性  とし、
Vep  が  ｛Wexp／Uep｝  に等しくなる  Vep  をイヤホン固有の平滑化音質補正特性  とし、
Vep  を算出する機能を
第１４の機能  とし、
Vep  が比例係数を含むことを考慮に入れて、A  を特定の定数とするところの  A＊Vep  をイヤホン固有の平滑化音質補正特性とする機能を
第１５の機能  とし、
第１４の機能  または  第１５の機能  を平滑化音質補正特性決定機能とし、
第１６の機能  を  平滑化音質補正特性決定機能  とし、
請求項１に記述の  音質補正特性決定機能  が  第１６の機能  の  平滑化音質補正特性決定機能  であるところの、
いずれも公知の機能であるところの
請求項１に記述の
測定用信号を時系列の数値で発生する  第１の機能  と、
検出信号を時系列の数値で測定する  第２の機能  と、
測定用信号を電流源とする  第３の機能  と、
端末器の  数値信号と電気信号の変換を司る部分の総合特性を得る  第４の機能  と、
イヤホンの共通リード線の起電力を打ち消す信号を発生する  第５  の機能  と、
イヤホンの共通リード線の起電力を打ち消す信号の係数を決定する  第６  の機能  と、
左右のイヤホンの結合係数を算出する  第７の機能  と、
測定したイヤホンに固有の音質補正特性を算出する  第１０の機能  と
請求項２に記述の、
測定したイヤホンに固有の音質補正特性を算出する  第１６の機能  と、
を組み合わせることで、
端末器の電子回路部の左右の違いによる誤差の影響を回避し、かつ、端末器の固有の特性の影響を補正しすることで、左右のイヤホンの共通リード線の電圧降下の影響を、より高い精度で取り除き、左右のイヤホンの音響結合特性の測定精度を上げることによって、得られるイヤホン固有の再生特性をもとに、細かい凹凸の特性を  平滑化した  平滑化補正特性  を用いることを特徴とする、より実用性の高い音質を得るところの  与えられたイヤホン固有の再生特性を、期待する音質特性へと変換する補正特性を得る手段。
【発明の詳細な説明】
【技術分野】
【０００１】
インナーイヤホンの再生特性測定とその補正
請求項で定義した  用語  と  記号  は明細書においても同様とする。
【背景技術】
【０００２】
イヤホンの再生特性測定
イヤホンの再生特性補正
携帯電話やスマートフォンなど、音楽再生機能を持つ  携帯端末器  は  強力な計算処理機能と大量のメモリーと音響信号の入出力機能またはマイクロホンの入力があって、イヤホンの再生特性の測定には十分である。
適応制御
高速フーリエ変換と高速フーリエ逆変換とインパルス応答と  それらの相互変換
音響信号処理
最小自乗法
スマートフォンの音楽プレーヤーが持つ特有の音響信号処理構造、即ち、リアルタイム処理でなければならない信号処理にもかかわらず、使うことができるCPU資源が小刻みな一括信号処理に依存する仕組みとその仕組みを有効に使う方法。
【先行技術文献】
【特許文献】
【０００３】
特願2015-023144  は測定による、左右のイヤホンの結合特性から、イヤホンの再生特性を算出し、その結果からイヤホン固有の再生特性を標準特性に補正するための補正特性を割り出すものである。この方法は、検出側に、信号源の信号をリアルタイムで必要とすることから、検出信号系が２系統必要である。一般的に、イヤホンが使われるスマートフォンはマイクロホンの検出端子が１系統である。
さらに、検出側イヤホンの起電力を求めるに際し、スマートフォンの音響入力系統のディジタル信号と電気信号の相互に変換する過程での、個々のスマートフォン固有の変換部の
抵抗やコンデンサの素子が持つバラツキによって左右の特性に若干の相違があって、この若干の相違は演算途中の差を求める演算行程を持つことからイヤホンの結合特性の測定誤差を顕著に大きくする。
特に、左右のイヤホンの共通リード線の電圧降下補正は減算行程を持っていることから、そして、イヤホンによっては、その大きさが取り出そうとする信号よりも大きい場合も多く、小さな誤差でも測定結果の大きな誤差要因となる。
本案発明は、上記の誤差に関係する問題を大幅に改善し、精密な補正特性を得る手段に関する。
【発明の開示】
【発明が解決しようとする課題】
【０００４】
第１に、左右のイヤホンを音響結合させることにより、イヤホンの再生特性を測る場合、左右のイヤホンの共通リード線の電圧降下の精密な補正が難しい。
第２に、スマートフォンはマイクロホン入力が１系統である。
第３に、音質補正は適度におおざっぱな方法でなければならない。局部的に特徴を持つ特性は返って不安定な音質となる。
【課題を解決するための手段】
【０００５】
一対の左右のイヤホンの音の出口を音響的に結合させ、片側を  測定用信号  の再生用、他方をマイクロホンとしての検出用として機能させる。
端末器  から  測定用信号  を再生し、片方のイヤホンの端子へ入力し、他方のイヤホンの端子に発生する起電力をマイクロホン入力から取り込み測定する方法において、
第１に、再生側イヤホンへ電流源の信号を供給する。
第２に、測定に使う信号入出力を一つの出力端子と一つの入力端子でまかなう。
第３に、端末器の電子回路の特性を測定し、精密な測定に反映させる。
第４に、左右のイヤホンが共有するリード線部の電圧降下を、上記  第１、第２、第３  の手段を使って精密に補正し、音響結合による  左右のイヤホン  の  結合特性  を割り出すことで、与えられたイヤホン固有の再生特性を算出する。
第５に、測定算出したイヤホンの固有の再生特性の細かい凹凸を持つ強度特性を  適度に滑らかに補正することで、実使用状態で、安定した、総合的に良質の再生音を得る。
【発明の効果】
【０００６】
第１に、簡単な手法、即ち、左右のイヤホンを音響結合させる手法でも、イヤホンの固有特性を高い精度で測定することができる。
第２に、第1の結果であるが、細かい凹凸のある複雑な特性ではあるが、高い精度で測定されている音響特性を丸め込むことで、適切で的を得た平滑化特性を得ることができる。
第３に、  第１と第２の結果であるが、期待イヤホン再生特性  の音質になるよう、補正されたイヤホンの音質は、一定の水準の音質を基準に、実使用で安定した補正特性を得ることができる。
【図面の簡単な説明】
【０００７】
【図１】左右のイヤホンの音響結合係数測定の一実施例の説明図。
【図２】簡素化した原理説明図
【図３】左右のイヤホンのリード線が一部を共有する場合の音響結合の説明図。
【図４】４種類のイヤホンの特性測定例と音質補正例。
【発明を実施するための最良の形態】
【０００８】
イヤホン特性測定用の携帯端末器のアプリケーションプログラム  と  結合ピース  と  測定用接続アダプタ  をセットにした、アフターマーケットのイヤホン特性補正用商品。
イヤホンの付属品。
【産業上の利用可能性】
【０００９】
ユーザーが購入したイヤホンの音質が気に入らないときのイヤホンの音質補正サービス。
ミュージシャンや、音質を決定する技術者が、特定の楽曲で、特定の音質を提供したときの楽曲を提供する側が供給できる、イヤホンの種類を選ばない音質補正。
期待特性を弱難聴者用の最適特性とするイヤホン再生特性補正。
騒音中のノイズリダクション型のイヤホンピースに最適な音質補正。
【実施例】
【００１０】
図１は本案発明の測定系の一実施例の説明図。
図１の記号は請求項に記述と同じである。
一般的なイヤホンのイヤピースを外した状態で、左右のイヤホンを音響的に結合させ、
測定と演算によってイヤホンの補正特性を求める手法の構成図を示す。以下の説明は、請求項の補足説明である。
【００１１】
結合ピース  CP  は左右のイヤホンを音響的に結合する役割を持つ。
再生側イヤホンに供給する信号は電流源である。
再生側イヤホン  の再生音は音響結合により、  検出側イヤホン  に伝わり  検出側イヤホンは起電力を発生する。その起電力の  測定用信号  に対する関係はイヤホンの変換特性に依存する。検出側イヤホンの起電力を直接測定することはできないので、検出側イヤホンのイヤホン端子から得た電気信号から、左右のイヤホンの共通リード線の電圧降下を差し引くことで音響結合による検出側イヤホンの起電力割り出す。端末器のディジタル信号と電気信号の相互の変換を司る電子回路の特性を考慮に入れることで、測定精度を上げる。また、測定系は、測定精度を上げる目的で、片側チャンルだけを使って、電子回路系の特性とイヤホンの結合特性の双方を、スイッチにより切り換えて測定する。
【００１２】
図１中、
PROGRAM  は、端末器内部のディジタル信号処理部、
CTL  は、測定系の操作インタフェース、制御、演算、記憶、を司る機能、
WG  は、測定用のディジタル信号を発生する機能、
【００１３】
START  は、測定システムを起動させる端末器への合図、
BASE  は、端末器の電子回路の特性測定を機能させる端末器への合図、
この時点で後述のスイッチは  b  と  c  が接続されているところの、端末器の内部電子回路の測定モードである。
請求項で記述の  Eg0  を発生し、Em0  を測定することで、
端末器の内部定数  Zs＊Zm  即ち  Em0＊｛1／Eg0｝  即ち  Hsm0  を割り出す。
MES  は、検出側イヤホンの起電測定を機能させる端末器への合図、
この時点で後述のスイッチは  a  と  c  が接続されているところの、左右のイヤホンの結合係数の測定モードである。
請求項で記述の  Eg  を発生し、Em  を測定し、請求項で記述の、無視できる誤差を除去した後、
左右イヤホンの結合係数  Glr  Rm＊｛1／Hsm0｝＊Em＊｛1／Eg｝  を求める。
【００１４】
Wexp  は、補正後の期待イヤホン特性
Hsm0  は、計測演算によって求めた  端末器の電子回路部の固有の特性、
k、Kmin  は、イヤホンの共通リード線の電気抵抗の影響を除くための可変係数と
求めた  k  の値、
Pep  は、測定演算によって求めたイヤホンの固有特性、
Qep  は、Rep  と  Wexp  から求められた  イヤホンの音質補正特性、
Uep  は、Rep  を平滑化したイヤホンの固有特性、
Vep  は、Uep  と  Wexp  から求めた  イヤホンの音質補正特性
【００１５】
DEVICE  は、端末器内部のディジタル信号と電気信号  の相互の変換部、
Zs  は、ディジタル信号を電気信号に変換する機能、
Zm  は、電気信号をディジタル信号に変換する機能、
Cs、Ls、Rs、Ms  は、それぞれ、端末器の  左右のイヤホンの共通端子、左出力端子、右出力端子、マイクロホン入力端子である。
この測定例では、右出力は使わない。左右の使い分けはどちらでもよい。
【００１６】
CONVERT  は、端末器とイヤホンとの接続を変更する配線部、
SW  は、測定モードの変更スイッチ、
c  と  b  が接続されたときは  Zs  と  Zm  の測定モード、
c  と  a  が接続されたときは  左右イヤホンの結合特性  の測定モード、
スイッチによって測定モードを切り換える理由は二つある。
第１には、通常の端末器では音響入力が一系統である。
第２には、いかなる端末器も、左右の電子回路の特性に、抵抗やコンデンサの定数のバラツキがあって、このバラツキが大きな誤差発生の要因となることから、電子回路の特性測定とイヤホンの起電力の測定の双方には、同一の入出力系統を使う。
Cu、Lu、Ru、Mu  は配線変換部の端末器側の端子である。
Cv、Lv、Rv  は配線変換部のイヤホン側の端子である。
Mv  は、マイクロホン端子であるが、マイクロホンの有無にかかわらず使わない。
【００１７】
EARPHONE  は、計測対象のイヤホン、
Rc  は、左右のイヤホンの共通リード線の電気抵抗、
Rc  は、左右イヤホンの結合係数の測定上、最も大きな誤差を発生する要因である。Rc  の値はイヤホンの種類によって大きく異なる。請求項に記述のように、Rc  が関係する項を  極小化し、無視できるまでに小さくすることによって、左右のイヤホンの結合係数を精密に測ることができる。
補正モードで測定された  Hsm0  を使って  Rc  が関係する項のキャンセル用信号  Ecan  を発生し、Ecan  即ち  k＊Hsm0＊Eg  なる信号の  k  を可変し、Em  に含まれる  Rc  が関係する項を極小化する。kmin  に関しては、請求項  第７の機能  として記述。
Rl  は、再生側イヤホンのリード線の電気抵抗、
Rr  は、検出側イヤホンのリード線の電気抵抗、
Rl、Zl、El  は、再生側イヤホンの、それぞれ、共通部を除くリード線の  電気抵抗  と電気インピーダンス  と  起電力、
Rr、Zr、Er  は、検出側イヤホンの、それぞれ、共通部を除くリード線の  電気抵抗  と  電気インピーダンス  と  起電力、
検出側のイヤホンから発せられる再生音は  Rm  によって  Es  に比例した電流源として供給される。それは  Es  を  El  の影響を無視できるほどに大きくし、  Rm  を  Rl  と  Zl  の影響を無視できるほどに大きくすることによる。Es  と  Rm  は市場で販売されているイヤホンの電気的性質の常識的範囲から設計的に決定する。
マイクロホンの起電力の検出は  Zm  による。
Zm  の入力インピーダンスは一般的に、Rl、Zl  を無視できるほど大きく、電流を消費しない。
従って、Ec  と  Er  なる二つの起電力は  電圧として測定される。
ここで、Ec  は第７の機能  で取り除かれ、Er  が左右のイヤホンの音響結合による起電力として計測される。
【００１８】
以上の理由によって、
検出側イヤホンの  音響結合による起電力は  Eg＊Hsm0＊｛1／Rm｝＊Glr  として、極めて簡素に表現できることになる。
CP  は、左右のイヤホンの結合ピース、
Ce、Le、Re  は、左右のイヤホンの共通端子で、
それぞれ、配線変換部の  Cv、Lv、Rv  へ接続される。
Me  は、マイクロホン端子であるが、マイクロホンの有無にかかわらず使わない。
【００１９】
以下は、端末器固有の電子回路の特性  Hsm0  の計算方法についての請求項の補足説明である。
Hsm0  は  請求項において詳細を記述のように、端末器の電子回路の固有特性である  ところの、信号発生系  Zs  と  信号検出系  Zm  の積  Zs＊Zm  である。
測定系が２系統ある場合は、Hsm0  は  イヤホンの起電力の測定と並行して測定可能であるが、本案の特徴として、１系統の測定系で切り替えスイッチにより測定される。
さらに、Zs＊Zm  は  Em0＊｛1／Eg0｝  で測定される。この関係式は  測定した信号  Em0  を  測定用信号  Eg0  で除して得られる定数であるが、複素数と遅延時間で表現される。周波数範囲は通常の音響信号の周波数範囲であって、一般的には20Hzか20kHzの範囲で十分である。
通常、測定用信号は音響信号帯域のホワイトノイズが用いられる。Em0  と  Eg0  の遅延時間は、双方の相互相関を求めることで算出できる。
【００２０】
一般的に、出力系統のアナログ変換と入力系統のディジタル変換の双方のサンプリングクロックは共通なので、演算に支障はない。極めて一部の汎用コンピューターでは双方が微弱ではあるが異なる場合があるが、これは例外であって、携帯端末装置では、例外なく、入出力の双方は同一クロックで動作する構造となっている。
【００２１】
Em0  と  Eg0  の遅延時間の関係を除外すると、Eg0  はホワイトノイズであって基準信号であることから、  Em0  の複素数表現またはインパルス応答表現が端末器の電子回路の特性、として表現される。
Hsm0  と  Glr  を求めるに必要な  相互相関と逆数と乗算などの演算の方法や手順  は信号処理の分野で公知であり、本案発名の本質ではないので、詳細説明を省略する。
【００２２】
以下は、左右のイヤホンの音響結合係数  Glr  を求めるに際し、測定結果から  最も実用的に必要充分な  Em  を測定する方法についての請求項の補足説明である。
ここでは、  前もって計測されている  Hsm0  を使って、
Ecan  即ち  k＊Hsmo＊Eg  なる信号を  再生側イヤホンに供給する信号  Eg  とは別に、信号処理内部で発生させる。
Ecan  は遅延時間に誤差が生じないよう、あらかじめ正確に  k＊Hsm0＊Eg  となるよう、設計的に信号を作る。Eg  を連続的に発生させながら、k  を可変し、リアルタイムに  kmin  を求めるか、あらかじめ決められた時間、信号を記録しておいて、一括して  kmin  を求めるか、いずれかの方法がある。端末器の場合は演算部をリアルタイムに動作させるか、またはリアルタイムと同様に動作させるには面倒な手続が必要とされることから、記録した計測信号について一括演算処理する方法が便利である。
kmin  を求めるには、k  を可変し、請求項に記述の  ABS(Em−Ecan)  が最小になる  k  を求めることで必要充分である。
【００２３】
Hsm0  や  Glr  を校正するラメーターの一つである遅延時間が、１サンプリングクロック単位ではない場合、例えば、
信号出力と信号入力がサンプリング周期に半サイクルのずれがある場合、
約30マイクロ秒から100マイクロ秒の音響結合による伝搬遅延時間がある場合、
が想定されるが、この遅延時間のサンプリング周期の半端の分を算出する場合、サンプリングポイントにある時刻の前のサンプリング時刻と次のサンプリング時刻を分割する比率よって、前のサンプリング値と次のサンプリング値のウェイトによって、その時刻のサンプリング値を近似値として算出することができる。
【００２４】
以下は、請求項に記述の  Rep＊Rep  と  Qep  と  Uep＊Uep  と  Vep  に関する補足説明である。
左右のイヤホンを音響結合して一方を再生側、他方を検出側  とすることで、測定したイヤホンの結合特性からイヤホンの再生特性を割り出す場合、同じ変換特性を保つイヤホン
がカスケードに接続されることから、結合特性が再生特性の自乗に依存する性質に基づくことによる。同様なことであるが、再生特せいの自乗は結合特性に対応する。
【００２５】
以下は、比例項の除去に関する請求項の補足説明である。
請求項に  比例項の除去  という記述があるが、これは、音響特性を横の周波数軸と縦の強度軸の双方の対数での表現が人の感性に対応していることに起因するものである。
イヤホンの音響特性  Rep  または  Uep  に  特定の比例係数を乗算することは  対数軸では全帯域で一定値を加算することと同じであることから、Rep  または  Uep  に含まれる  比例係数をどのような値に決定しようと、特性のパターンは縦軸に並行移動するだけで音質特性の本質は変わらない。仮に、結論づけられた  Rep  または  Uep  が比例係数を持っていたとしても、最終的には感度調整という方法によって、実用段階で調整される。
従って、Em−Ecan  に含まれる  ｛1／Rm｝  の項を無視することができる。
【００２６】
Qep  は  ｛1／Rep｝  として表現されるところの、Rep  の逆関数である。
一般的に任意の  Rep  に関して、その逆関数が実現可能な定数として算出できる、とは限らない。しかし、複数個ではあるが有数のフィルターの種類とパラメーターを調整することで、限られた条件内で、最も近いフィルターを構成することができる。
たとえば、１２個の二次のフィルターのパラメーターを調整し、近似させることもできるし、例え１個の二次のフィルターでも、それなりに、最も近いパラメーターを決定することができる。
Rep  に対応する  インパルス応答を算出することで、そのインパルス応答から逆関数を算出することもできる。また、与えられたタップ数と可変範囲の範囲で、FIRフィルターのタップの係数を調整し、Rep  の逆関数を求めることができる。
これらは公知の手法であることから、詳細説明を省略する。
【００２７】
以下は  スムーシングされた  Rep  を元にスムーシングを作用させた  Uep  の算出方法に関する  請求項２  の補足説明である。
特定の周波数上の特性の、その付近の平均を取る方法に関して、
人の聴覚が周波数軸に対しても強度に対しても対数的に表現されることから、対数周波数軸の範囲で対数強度を平均化する方法が一般的である。
最も簡単な方法として、フーリエ変換された周波数軸は通常リニア尺度であることから、対数軸に換算して平均化するには、その周波数の付近において、対数軸でのウェイトが必要である。その一つの方法として特定の係数、たとえば、オクターブを対数的に  ８分割  あるいは  １６分割  あるいは  ３２分割  し、それらの周波数軸上の強度の相乗平均または加算平均を求める。それを全周波数帯で実行し、全体のスムースな特性を求める。強度の相乗平均または相加平均を求める際、求める周波数からの離れる程度にウェイトを設ける手法もある。
【００２８】
また、特定の周波数範囲で、表現可能な曲線の条件群を設定し、その条件群の制約の範囲内で表現できる曲線であって、元の特性に最も近い曲線を求める方法がある。表現可能な曲線の条件とは、例えば、曲線の次数を設定し、曲線が決定される関数表現のパラメーター群と、その関数の制約条件である境界条件群によって曲線を求める。
その求め方についても幾つかの方法があって、最小自乗法のような手法を利用して一義的に期待する特性に最も近い曲線を表現するパラメーター群を求める方法もあれば、適応制御的に、パラメーターを操作しながら最も近い曲線を表現するパラメーター群を探し当てる方法もある。境界条件とは、範囲内の特性の  両端の値、傾斜値、最大傾斜値  などがある。いずれにしてもこれらのスムーシングの方法は公知あり、本案の本質とするところではないので、詳細説明を省略する。
【００２９】
以上の説明と請求項での記述のように、
解決しようとする課題  第1、第２、第３  が  解決するための手段  第１、第２、第３、第４、第５  によって  解決される。
【００３０】
図２は簡素化した原理説明のブロック図である。請求項と図１は測定精度を高めるための信号処理の構造を正確に記述するものであるが、図２は以下のように、計測に不要な項を設計的に取り除くことで、実用的なわかりやすく簡素に表現したものである。測定精度を上げるために、信号源を電流源とすることによって、不要な多くのファクターを無視できる測定系とすることができる。さらに、電子回路の特性を知ることで、適応制御によって、端末器で測定はできないが、測定対象には不要なファクターを取り除くことができ、端末器だけの機能で、左右のイヤホンの結合係数を測定できる。記号と演算の表現式は請求項と同じである。
【００３１】
再生側イヤホンには電流源信号が加えられるので、検出側のイヤホン端子の起電力はディジタル化された段階で  共通リード線の電圧降下  と  検出側イヤホンの音響結合による起電力の和  となる。
Ec＊Zm  は測定された  Hsm0  を利用して、係数  k  による適応制御により  生成した  信号  Ecan  によって  相殺される。
結果、  Er  の項である  Glr＊Eg＊Zs＊Zm＊｛1／Rm｝  即ち  
Glr＊Eg＊Hsm0＊｛1／Rm｝  が測定値から演算行程を経て抽出される。
ここで、  Rm  は比例係数なので、音質補正とは無関係のファクターであり、削除することができる。
Eg  と  Hsm0  は測定系では既知のファクターであり、結果、
Glr  を  Rm＊｛1／Hsm0｝＊｛Em−Ecan｝＊｛1／Eg｝  として求めることができる。Glr  は、比例係数であるところの  Rm  を除いて、他の全てのファクターは  完全に既知の設計値  と  精密な実測値で表現されることを示す。
【００３２】
本案の重要なところは、
測定によって、端末器の電子回路特性を既知の定数とすること、
検出側イヤホンへの電気信号を電流源とすること、
端末器のマイク入力がイヤホンにくらべ高インピーダンスであることを利用すること、
適応制御によって、計測できないファクターである  イヤホンの共通リード線の電気抵抗  のファクターを高精度で取り除くこと、
である。
【００３３】
図３は、左右のイヤホンのリード線が一部を共有する場合の音響結合の説明図。
一般的なイヤホンのイヤピースを装着した状態で、左右のイヤホンを音響的に結合した状態を示す。
1  と  2  は、それぞれ左と右のイヤホン、3  は結合ピース、4  は測定用の電気信号の入力方向、5  は左のイヤホンの再生音が右のイヤホンに伝わる方向、6  は右のイヤホンの端子信号、7  はイヤホンプラグ、8  は左右のイヤホンのリード線の分岐点、9  は左右のイヤホンの共通リード線の部分、10  は左右のリード線の共通端子、11  は左のイヤホンのリード線、21  は右のイヤホンのリード線、12  は左イヤホンのリード線の端子、22  は右イヤホンのリード線の端子である。
左右のグランド線を共有している部分の長さはイヤホンの種類によっても異なる。中には、グランド線の共有部分がない種類もある。一般的には、イヤホンプラグの内部や携帯端末の内部の配線にも左右のグランド線の共有部分があるので、厳密には、全てのイヤホンでグランド線の共有部分が存在する、と考えられる。
【００３４】
イヤホンによっては、マイクロホンを付属しているものがあるが、マイクロホンの有無にかかわらず、マイクロホン系統の端子は測定系に接続しない。
【００３５】
図４は  本案の一実施例による、４種類の市販のイヤホンの  特性の補正  と  演算途中の特性と  補正特性  と  補正後の再生特性  を示す。
細かく、刃こぼれのような大半のギザギザの特性は入力信号がホワイトノイズであることによるもので、測定対象のイヤホンの特性ではない。中には、局部共振による極めて細かいリップルも含まれている。いずれにしても、細かい音質特性については、一般の音楽のリスニングで感じるものではない。期待再生特性  Wexp  が  １  即ち、期待特性が平坦の場合である。特性図の  40Hz  以下の周波数帯域での著しい低音減衰は  特性の観測に使ったモニター用の  FFT  の特性であって、演算結果そのものを示すものではない。
【００３６】
図４（ａ）は、市場では最も安価で、低音再生の強度が小さい一例
図４（ｂ）は、市場では比較的高価で、低音再生の強度が大きい一例
図４（ｃ）は、市場で最も高価な、一例
図４（ｄ）は、市場で最も普及している価格の一例の測定結果、
【００３７】
a1、b1、c1、d1  は、共通リード線の電圧降下を補正せずに測定した検出側イヤホンの端子電圧の測定結果、
a2、b2、c2、d2  は、共通リード線の電圧降下を差し引いた、補正後の検出側イヤホンの起電力から求めた  イヤホン固有の再生特性、
a3、b3、c3、d3  は、測定演算の結果から求めたイヤホン固有の再生特性を期待特性に補正を作用させた再生特性、
a4、b4、c4、d4  は、測定演算の結果から求めたイヤホン固有の再生特性から期待特性への補正特性である。
【００３８】
４種類のイヤホンはそれぞれ特徴があり、実使用状態でもそれぞれの音質に顕著な相違が
ある。４種類のいずれも、Wexp  が  1  の場合であることから、特性が平坦となるように補正されているが、補正後の音質にどのような音質が求められるかは、ユーザーの好みに依存することから、一般的には  Wexp  は任意の音質特性である。
また、イヤホンの装着状態によって、装着の深さは特に低音再生特性に大きく影響し、装着状態の角度は高音再生に大きく影響を及ぼす。このような理由から、期待特性は基本的に規準装着状態を想定した特性、または、幾つかの使用状態に対応した特性が望ましい。
補正後の特性は完全に平坦な特性ではないが、どの程度平坦にするか、一般的にはどの程度、期待特性に近づけるかについては、その程度に善し悪しがある。細かい凹凸は局部共振や装着状態による定在波などに依存し、実使用状態において不安定な特性の部類に入る。不安定な特性は音質に良い結果を生まない。いずれの補正結果の例も、高域で小刻みな波を残しているが、これ以上の細かい補正は実用上、音質的にも意味を持たない。図３は、実用的な範囲の適度な精度での補正例である。
【符号の説明】
【００３９】
PROGRAM  端末器内部の数値信号処理部、
CTL  測定系の操作インタフェース、制御、演算、記憶、を司る機能、
WG  測定用の時系列数値信号を発生する機能、
MP  検出側イヤホンからの信号を時系列数値信号として読み取る機能、
START  システムを起動させる端末器への合図、
BASE  測定を機能させる端末器への合図、
MES  測定を機能させる端末器への合図、
Wexp  期待イヤホン特性
Hsm0  端末器の電子回路部の固有の特性
k、Kmin  共通リード線の電気抵抗の影響を除くための可変係数と  k  の特定の値
Pep  イヤホンの固有特性
Qep  イヤホンの音質補正特性
Uep  平滑化したイヤホンの固有特性
Vep  平滑化されたイヤホンの音質補正特性
【００４０】
DEVICE  数値信号と電気信号  の相互の変換部
Zs  数値信号を電気信号に変換する機能
Zm  電気信号を数値信号に変換する機能
Cs、Ls、Rs、Ms  それぞれ、左右のイヤホンの端子
【００４１】
CONVERT  端末器とイヤホンとの接続を変更する配線部
SW  測定モードのスイッチ
Cu、Lu、Ru、Mu  配線変換部の端子
Cv、Lv、Rv  は配線変換部の端子
Mv  使用しないマイクロホン端子
【００４２】
EARPHONE  計測対象のイヤホン
Rc  共通リード線の電気抵抗
Rl  再生側イヤホンのリード線の電気抵抗
Rr  検出側イヤホンのリード線の電気抵抗
Zl、El  再生側イヤホンの、電気インピーダンスと起電力
Zr、Er  検出側イヤホンの、電気インピーダンスと起電力
CP  は、左右のイヤホンの結合ピース
Ce、Le、Re  イヤホンの端子
Me  使用しないマイクロホン端子
【００４３】
1、2  それぞれ左と右のイヤホン
3  結合ピース
4  測定用の電気信号の入力方向
5  左のイヤホンの再生音が右のイヤホンに伝わる方向
6  右のイヤホンの端子信号
7  イヤホンプラグ
8  左右のイヤホンのリード線の分岐点
9  左右のイヤホンの共通リード線の部分
10  は左右のリード線の共通端子
11  左のイヤホンのリード線
21  右のイヤホンのリード線
12  左イヤホンのリード線の端子
22  右イヤホンのリード線の端子
【００４４】
a1、b1、c1、d1  共通リード線の電圧降下の補正なしの検出側イヤホンの端子電圧
a2、b2、c2、d2  共通リード線の電圧降下を差し引いた、イヤホン固有の再生特性
a3、b3、c3、d3  測定演算により求めたイヤホン固有の再生特性の補正後の再生特性
a4、b4、c4、d4  測定演算により求めたイヤホン固有の再生特性の補正特性
【図１】
2017228878.tif 000003
【図２】
2017228878.tif 000004
【図３】
2017228878.tif 000005
【図４】
2017228878.tif 000006
【手続補正書】
【提出日】平成28年7月28日(2016.7.28)
【手続補正１】
【補正対象書類名】図面
【補正対象項目名】図１
【補正方法】変更
【補正の内容】
【図１】
2017228878.tif 000007
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
端末器とは、音響信号の入出力機能を備えた、コンピューターまたはプレーヤーまたは携帯電話またはスマートフォンであるとし、
特性とは周波数に対するゲイン特性または強度特性を意味するものとし、
強度とは、実効値または平均値または最大値に相当するところの、信号または特性またはゲインの大きさとし、
測定用信号  とは、音響周波数帯域の、ホワイトノイズまたは正弦波スイープ信号または矩形波信号であって、イヤホンの特性測定のための信号であるものとし、
記号  ＋  −  ＊  ／  は、それぞれ  加算  減算  乗算  除算  の演算子とし、
｛  ｝  内の演算は  ｛  ｝  外に優先するものとし、
F(  )  を、 F   に続く  （  ） 内  に示す  変数群を持つ、特定の関数とし、
ABS(  )  は  (  )  内の項の強度を意味するものとし、
＞＞  は  左の項が右の項に比べ強度が十分に大きいことを意味するものとし、
イヤホンの固有特性  とは、特定のイヤホンに固有の、電気入力に対する音響出力の周波数特性であるとし、
結合ピース  とは、左右のイヤホンの音の出口どうしを音響的に結合するピースとし、
再生側イヤホン  とは、測定用の電気信号を再生する側のイヤホンとし、  
検出側イヤホン  とは、再生側イヤホンの再生音によって結合ピースを介して起電力を発生する側のイヤホンとし、
音響結合  とは、結合ピース  を介した音響結合によって、検出側イヤホンから起電力を発生させることとし、
測定のための  ディジタル信号発生、ディジタル化された信号の扱い、演算処理は  端末器のディジタル信号処理機能によって行われるものとし、
Eg  を、ディジタル信号による測定用信号とし、
第１の機能  を、Eg  を発生する機能とし、
Em  を、ディジタル信号に変換された検出信号とし、
第２の機能  を  Em  を得る機能とし、
Zs  を、ディジタル信号を電気信号へ変換する電子回路の変換特性とし、
Zm を、電気信号をディジタル信号へ変換する電子回路の変換特性とし、
Rm  を、再生側のイヤホンに与える信号を電流源信号とするための、再生側イヤホンに直列に接続する電気抵抗とし、
第３の機能  を、Rm  を用いることとし、
Rc  を、左右のイヤホンのリード線の共通部の電気抵抗とし、
Rl  を、再生側の共通リード線の共通部を除く電気抵抗とし、
Rr  を、検出側の共通リード線の共通部を除く電気抵抗とし、
Zl  を、再生側のイヤホンの電気音響変換部の電気インピーダンスとし、
Zr  を、検出側のイヤホンの音響電気変換部の電気インピーダンスとし、
El  を、再生側イヤホンの起電力とし、
Er  を、検出側イヤホンの起電力とし、
Ec  を、左右のイヤホンの共通リード線の電圧降下とし、
Glr  を、再生側のイヤホンに流す電流に対する、検出側のイヤホンに発生する起電力への結合係数とし、
k  を、調節可能な比例係数とし、
上記の記号に関し、
Rm、Rc、Rl、Rr、k  は複素数でもなく遅延もない比例係数であり、
Zm、Zs、Zl、Zr、Pep、Qep、Wexp、Uep、Vep  は複素数で表現される定数であり、
Eg、Em、Ec、El、Er、Eg0、Em0、Ecan  はディジタル信号で表現されるものとし、
Hsm0、Glr  は端末器のディジタル信号処理によって得られるところの、複素数と遅延時間で表現される定数とし、
Em  を  F(Eg, Zs, Rm, Rc, Rl, Rr, Zl, Zr El, Er, Zm）  と表現するものとし、これを
関係１  とし、
Rm  ＞＞  Rc  
Rm  ＞＞  Rl
Rm  ＞＞  ABS(Zl)  
Rm  ＞＞  ABS(Zr)
ABS(Eg＊Zs)  ＞＞  ABS(El)
上の  五つの条件は  再生側イヤホンに加える測定用の電気信号が、Rc  と  Rl  と  Zl  と  El  の影響を無視できる程度に、高出力インピーダンス信号源、即ち電流信号源であることを理由とし、
ABS(Zm  の入力インピーダンス)  ＞＞  Rc
ABS(Zm  の入力インピーダンス)  ＞＞  Rr
ABS(Zm  の入力インピーダンス)  ＞＞  ABS(Zr)
上の  三つの条件は、検出側イヤホンの端子電圧が  Rc  と  Rr  と  Zr  の影響を受けない程度の  高入力インピーダンス測定回路  であることを意味し、
上記八つの条件から、関係１  が
Em  が  F(Eg, Zs, Rm, Rc, Er, Zm）  と表現できることを利用するものとし、
Ec  即ち、Ec＊Zm  が  ディジタル信号では、Eg＊Zs＊｛1／Rm｝＊Rc＊Zm  と計測されることを利用するものとし、
これを
関係２  とし、
再生側のイヤホンを流れる電流が  Eg＊Zs＊｛1／Rm｝  であることを利用するものとし、
Er  が再生側イヤホンを流れる電流に、左右のイヤホンの結合整数を乗じた値として表現されることから、
Er  が  Er＊Zm  即ち、ディジタル信号では、Eg＊Zs＊｛1／Rm｝＊Glr＊Zm  と計測されることを利用するものとし、
これを
関係３  とし、
Em  は  Ec＊Zm  と  Er＊Zm  を加算した値であることから、関係２  と  関係３  により、
Em  を  ｛Eg＊Zs＊｛1／Rm｝＊Rc＊Zm｝＋｛Eg＊Zs＊｛1／Rm｝＊Glr＊Zm｝  と表現できることを利用するものとし、これを
関係４  とし
Eg0  を、検出側イヤホンにつながる端末器イヤホン出力端子と  マイクロホン入力端子を接続したときの  再生出力のディジタル信号とし、
Em0  を、Eg0  が端末器の電子回路を通して検出された、ディジタル信号とし、
Hsm0  を  Em0＊｛1／Eg0｝  とし、さらに、
Hsm0  は  Zs＊Zm  即ち、信号源側から検出側に至る経路で、端末器の電子回路が持つ固有の定数であって、測定範囲内の  Eg  のいかなる信号にも不変であることを利用するものとし、これを
関係５  とし、
Hsm0  を得るための操作、即ち、検出側イヤホンの入力端子から端末器のマイクロホン端子へつながっている接続線を切り離して、端末器の再生側イヤホン端子につながっているイヤホン端子とマイクロホン入力端子とを接続した状態で  Hsm0  を得る機能を
第４の機能  とし、
関係５  を  関係４  に代入すると、
Em  は  ｛Hsm0＊Rc＊｛1／Rm｝＊Eg｝＋｛Hsm0＊Glr＊｛1／Rm｝＊Eg｝
と表現されることを利用するものとし、
Ecan  を  k＊Hsm0＊Eg  とする  ディジタル信号とし、
Ecan  を発生させる機能を
第５の機能  とし、
ABS(Er＊Zm)  ＞＞  ABS(Ec＊Zm−Ecan）  を最大限に満足するところの、即ち、
ABS(Ec＊Zm−Ecan)  が最小になるところの、即ち
ABS(Em−Ecan)  が最小になるところの、
k  即ち  Ecan  の強度の係数を求め、  
kmin  をこのときの  k  とし、
第６の機能  を  kmin  を求める機能とし、
kmin  による  Em−Ecan  が実用上、｛Hsm0＊Glr＊｛1／Rm｝＊Eg｝  に等しくなる、
即ち、ABS(Em−Ecan)  が最小になるところの  Em−Ecan  によって、
Glr  即ち、左右のイヤホンの結合係数が
Rm＊｛1／Hsm0｝＊｛Em−Ecan｝＊｛1／Eg｝  として計測できることを利用するものとし、
左右のイヤホンの結合係数  Glr  を得る機能を
第７の機能  とし、
この結合係数  Glr  の中の、Rm  は比例係数であり、イヤホンの結合係数の音質的特徴とは関係のないファクターであることから、
Rm  を除いた、｛1／Hsm0｝＊｛Em−Ecan｝＊｛1／Eg｝  なる  端末器側で得られたところの全ての項が既知の値で表現される測定演算結果を  左右のイヤホンの結合係数  とし、
Pep＊Pep  が  ｛1／Hsm0｝＊｛Em−Ecan｝＊｛1／Eg｝  に等しくなる  Pep  を  測定したイヤホン固有の音質特性  とし、これを
関係６とし、
Wexp  を、音質補正を作用させることで得たい  補正後の特性とし、
Wexp  は  １  である場合も含む、選択可能な特性であるものとし、
Qep  が  ｛Wexp／Pep｝  に等しくなる  ところの  Qep  を  そのイヤホン固有の  Wexp  への音質補正特性  とし、
Qep  を算出する機能を
第８の機能  とし、
Qep  が比例係数を含むことを考慮に入れて、A  を特定の定数とするところの  A＊Qep  をイヤホン固有の音質補正特性とする機能を
第９の機能  とし、
A  の値は、Qep  を算出するまでの測定系特性の  スカラー量である係数  や構成しようとする  音質補正特性のフィルターの構造に適した、設計的に決定方法が決定されるところの  スカラー量であるものとし、
第８  または  第９  の機能を  音質補正特性決定機能  とし、
第１０の機能  を  音質補正特性決定機能  とし、
いずれも公知の機能であるところの
測定用信号をディジタル信号で発生する  第１の機能  と、
検出信号をディジタル信号で測定する  第２の機能  と、
測定用信号を電流源とする  第３の機能  と、
端末器の、ディジタル信号と電気信号の変換を司る部分の総合特性を得る  第４の機能  と、
イヤホンの共通リード線の起電力を打ち消す信号を発生する  第５の機能  と、
イヤホンの共通リード線の起電力を打ち消す信号の係数を決定する  第６  の機能  と、
左右のイヤホンの結合係数を算出する  第７の機能  と、
測定したイヤホンに固有の音質補正特性を算出する  第１０の機能  と、を組み合わせることで、
端末器の電子回路部の左右の違いによる誤差の影響を回避し、かつ、端末器の固有の特性の影響を補正することで、左右のイヤホンの共通リード線の電圧降下の影響をより高い精度で取り除き、左右のイヤホンの音響結合特性の測定精度を上げることによって得られるイヤホン固有の再生特性から、期待する再生特性へと変換する補正特性を得る方法。
【請求項２】
請求項１の関係６で表現される  Pep  なるイヤホン固有の特性の、強度特性が持つ細かい凹凸を平滑化し、滑らかな特性とする機能を  スムーシング機能とし、
平滑化特性  を、スムーシング機能によって得られたイヤホンの固有の特性とし、
ある一点の周波数上の  平滑化特性  を、その周波数近傍の  Pep  の強度の平均値で求めることによって全周波数帯域の平均化特性を求める機能を  特性平均化機能とし、
第１１の機能  を  特性平均化機能  とし、
複数個のパラメーター群  によって表現され、かつ、あらかじめ決定した複数個の境界条件群を満足する  単調関数  を設定し、
その単調関数を周波数に対する強度特性とし、その単調関数の強度特性が  境界条件群を満足し、かつ、特定の周波数範囲の  Pep  の強度特性に最も近くなる条件を満足する  パラメーター群  による単調関数を全帯域にわたり求め、全帯域の単調関数群を平均化特性とする機能を  特性関数表現化機能  とし、
第１２の機能  を  特性関数表現化機能  とし、
第１１の機能である特性平均化機能  かまたは  第１２の機能である特性関数表現化機能  のいずれかを  スムーシング機能とし、
第１３の機能  をスムーシング機能とし、
Uep  を、スムーシング機能によって得られた  平滑化特性  とし、
Vep  が  ｛Wexp／Uep｝  に等しくなる  Vep  をイヤホン固有の平滑化音質補正特性  とし、
Vep  を算出する機能を
第１４の機能  とし、
Vep  が比例係数を含むことを考慮に入れて、A  を特定の定数とするところの  A＊Vep  をイヤホン固有の平滑化音質補正特性とする機能を
第１５の機能  とし、
A  の値は、Vep  を算出するまでの測定系特性の  スカラー量である係数  や構成しようとする  音質補正特性のフィルターの構造に適した、設計的に決定方法が決定されるところの  スカラー量であるものとし、
第１４の機能  または  第１５の機能  を平滑化音質補正特性決定機能とし、
第１６の機能  を  平滑化音質補正特性決定機能  とし、
請求項１に記述の  音質補正特性決定機能  が  第１６の機能  の  平滑化音質補正特性決定機能  であるところの、
いずれも公知の機能であるところの
請求項１に記述の
測定用信号を時系列の数値で発生する  第１の機能  と、
検出信号を時系列の数値で測定する  第２の機能  と、
測定用信号を電流源とする  第３の機能  と、
端末器の  数値信号と電気信号の変換を司る部分の総合特性を得る  第４の機能  と、
イヤホンの共通リード線の起電力を打ち消す信号を発生する  第５  の機能  と、
イヤホンの共通リード線の起電力を打ち消す信号の係数を決定する  第６  の機能  と、
左右のイヤホンの結合係数を算出する  第７の機能  と、
測定したイヤホンに固有の平滑化音質補正特性を算出する  第１０の機能  と
請求項２に記述の、
測定したイヤホンに固有の音質補正特性を算出する  第１６の機能  と、
を組み合わせることで、
端末器の電子回路部の左右の違いによる誤差の影響を回避し、かつ、端末器の固有の特性の影響を補正しすることで、左右のイヤホンの共通リード線の電圧降下の影響を、より高い精度で取り除き、左右のイヤホンの音響結合特性の測定精度を上げることによって、得られるイヤホン固有の再生特性をもとに、細かい凹凸の特性を  平滑化した  平滑化補正特性  を用いることを特徴とする、より実用性の高い音質を得るところの  与えられたイヤホン固有の再生特性を、期待する音質特性へと変換する補正特性を得る方法。
【手続補正２】
【補正対象書類名】明細書
【補正対象項目名】全文
【補正方法】変更
【補正の内容】
【発明の詳細な説明】
【技術分野】
【０００１】
インナーイヤホンの再生特性測定とその補正
請求項で定義した  用語  と  記号  は明細書においても同様とする。
【背景技術】
【０００２】
イヤホンの再生特性測定
イヤホンの再生特性補正
携帯電話やスマートフォンなど、音楽再生機能を持つ  携帯端末器  は  強力な計算処理機能と大量のメモリーと音響信号の入出力機能またはマイクロホンの入力があって、イヤホンの再生特性の測定には十分である。
適応制御
高速フーリエ変換と高速フーリエ逆変換とインパルス応答と  それらの相互変換
音響信号処理
最小自乗法
スマートフォンの音楽プレーヤーが持つ特有の音響信号処理構造、即ち、リアルタイム処理でなければならない信号処理にもかかわらず、使うことができるCPU資源が小刻みな一括信号処理に依存する仕組みとその仕組みを有効に使う方法。
【先行技術文献】
【特許文献】
【０００３】
特願2015-023144  は測定による、左右のイヤホンの結合特性から、イヤホンの再生特性を算出し、その結果からイヤホン固有の再生特性を標準特性に補正するための補正特性を割り出すものである。この方法は、検出側に、信号源の信号をリアルタイムで必要とすることから、検出信号系が２系統必要である。一般的に、イヤホンが使われるスマートフォンはマイクロホンの検出端子が１系統である。
さらに、検出側イヤホンの起電力を求めるに際し、スマートフォンの音響入力系統のディジタル信号と電気信号の相互に変換する過程での、個々のスマートフォン固有の変換部の
抵抗やコンデンサの素子が持つバラツキによって左右の特性に若干の相違があって、この若干の相違は演算途中の差を求める演算行程を持つことからイヤホンの結合特性の測定誤差を顕著に大きくする。
特に、左右のイヤホンの共通リード線の電圧降下補正は減算行程を持っていることから、そして、イヤホンによっては、その大きさが取り出そうとする信号よりも大きい場合も多く、小さな誤差でも測定結果の大きな誤差要因となる。
本案発明は、上記の誤差に関係する問題を大幅に改善し、精密な補正特性を得る手段に関する。
【発明の開示】
【発明が解決しようとする課題】
【０００４】
第１に、左右のイヤホンを音響結合させることにより、イヤホンの再生特性を測る場合、左右のイヤホンの共通リード線の電圧降下の精密な補正が難しい。
第２に、スマートフォンはマイクロホン入力が１系統である。
第３に、音質補正は適度におおざっぱな方法でなければならない。局部的に特徴を持つ特性は返って不安定な音質となる。
【課題を解決するための手段】
【０００５】
一対の左右のイヤホンの音の出口を音響的に結合させ、片側を  測定用信号  の再生用、他方をマイクロホンとしての検出用として機能させる。
端末器  から  測定用信号  を再生し、片方のイヤホンの端子へ入力し、他方のイヤホンの端子に発生する起電力をマイクロホン入力から取り込み測定する方法において、
第１に、再生側イヤホンへ電流源の信号を供給する。
第２に、測定に使う信号入出力を一つの出力端子と一つの入力端子でまかなう。
第３に、端末器の電子回路の特性を測定し、精密な測定に反映させる。
第４に、左右のイヤホンが共有するリード線部の電圧降下を、上記  第１、第２、第３  の手段を使って精密に補正し、音響結合による  左右のイヤホン  の  結合特性  を割り出すことで、与えられたイヤホン固有の再生特性を算出する。
第５に、測定算出したイヤホンの固有の再生特性の細かい凹凸を持つ強度特性を  適度に滑らかに補正することで、実使用状態で、安定した、総合的に良質の再生音を得る。
【発明の効果】
【０００６】
第１に、簡単な手法、即ち、左右のイヤホンを音響結合させる手法でも、イヤホンの固有特性を高い精度で測定することができる。
第２に、第1の結果であるが、細かい凹凸のある複雑な特性ではあるが、高い精度で測定されている音響特性を丸め込むことで、適切で的を得た平滑化特性を得ることができる。
第３に、  第１と第２の結果であるが、期待イヤホン再生特性  の音質になるよう、補正されたイヤホンの音質は、一定の水準の音質を基準に、実使用で安定した補正特性を得ることができる。
【図面の簡単な説明】
【０００７】
【図１】左右のイヤホンの音響結合係数測定の一実施例の説明図。
【図２】簡素化した原理説明図
【図３】左右のイヤホンのリード線が一部を共有する場合の音響結合の説明図。
【図４】４種類のイヤホンの特性測定例と音質補正例。
【発明を実施するための最良の形態】
【０００８】
イヤホン特性測定用の携帯端末器のアプリケーションプログラム  と  結合ピース  と  測定用接続アダプタ  をセットにした、アフターマーケットのイヤホン特性補正用商品。
イヤホンの付属品。
【産業上の利用可能性】
【０００９】
ユーザーが購入したイヤホンの音質が気に入らないときのイヤホンの音質補正サービス。
ミュージシャンや、音質を決定する技術者が、特定の楽曲で、特定の音質を提供したときの楽曲を提供する側が供給できる、イヤホンの種類を選ばない音質補正。
期待特性を弱難聴者用の最適特性とするイヤホン再生特性補正。
騒音中のノイズリダクション型のイヤホンピースに最適な音質補正。
【実施例】
【００１０】
図１は本案発明の測定系の一実施例の説明図。
図１の記号は請求項に記述と同じである。
一般的なイヤホンのイヤピースを外した状態で、左右のイヤホンを音響的に結合させ、
測定と演算によってイヤホンの補正特性を求める手法の構成図を示す。以下の説明は、請求項の補足説明である。
【００１１】
結合ピース  CP  は左右のイヤホンを音響的に結合する役割を持つ。
再生側イヤホンに供給する信号は電流源である。
再生側イヤホン  の再生音は音響結合により、  検出側イヤホン  に伝わり  検出側イヤホンは起電力を発生する。その起電力の  測定用信号  に対する関係はイヤホンの変換特性に依存する。検出側イヤホンの起電力を直接測定することはできないので、検出側イヤホンのイヤホン端子から得た電気信号から、左右のイヤホンの共通リード線の電圧降下を差し引くことで音響結合による検出側イヤホンの起電力割り出す。端末器のディジタル信号と電気信号の相互の変換を司る電子回路の特性を考慮に入れることで、測定精度を上げる。また、測定系は、測定精度を上げる目的で、片側チャンルだけを使って、電子回路系の特性とイヤホンの結合特性の双方を、スイッチにより切り換えて測定する。
【００１２】
図１中、
PROGRAM  は、端末器内部のディジタル信号処理部、
CTL  は、測定系の操作インタフェース、制御、演算、記憶、を司る機能、
WG  は、測定用のディジタル信号を発生する機能、
Eg  は  Wg  が発生する測定用の信号であり、本案発明の実証に際しては、音響帯域のホワイトノイズを使っている。一般的には、その他に、インパルス信号、矩形波信号、正弦波スイープ信号があるが、いずれも、論理的に相互変換が可能である。ディジタル信号処理にはホワイトノイズが最も扱い安く、測定結果が人の聴覚とマッチングしていることから、図４の測定結果にはホワイトノイズを使っている。
【００１３】
START  は、測定システムを起動させる端末器への合図、
BASE  は、端末器の電子回路の特性測定を機能させる端末器への合図、
この時点で後述のスイッチは  b  と  c  が接続されているところの、端末器の内部電子回路の測定モードである。
請求項で記述の  Eg0  を発生し、Em0  を測定することで、
端末器の内部定数  Zs＊Zm  即ち  Em0＊｛1／Eg0｝  即ち  Hsm0  を割り出す。
MES  は、検出側イヤホンの起電測定を機能させる端末器への合図、
この時点で後述のスイッチは  a  と  c  が接続されているところの、左右のイヤホンの結合係数の測定モードである。
請求項で記述の  Eg  を発生し、Em  を測定し、請求項で記述の、無視できる誤差を除去した後、
左右イヤホンの結合係数  Glr  Rm＊｛1／Hsm0｝＊Em＊｛1／Eg｝  を求める。
【００１４】
Wexp  は、補正後の期待イヤホン特性
Hsm0  は、計測演算によって求めた  端末器の電子回路部の固有の特性、
k、Kmin  は、イヤホンの共通リード線の電気抵抗の影響を除くための可変係数と
求めた  k  の値、
Pep  は、測定演算によって求めたイヤホンの固有特性、
Qep  は、Pep  と  Wexp  から求められた  イヤホンの音質補正特性、
Uep  は、Pep  を平滑化したイヤホンの固有特性、
Vep  は、Uep  と  Wexp  から求めた  イヤホンの音質補正特性
【００１５】
DEVICE  は、端末器内部のディジタル信号と電気信号  の相互の変換部、
Zs  は、ディジタル信号を電気信号に変換する電子回路の変換特性、
Zm  は、電気信号をディジタル信号に変換する電子回路の変換特性、
Cs、Ls、Rs、Ms  は、それぞれ、端末器の  左右のイヤホンの共通端子、左出力端子、右出力端子、マイクロホン入力端子である。
この測定例では、右出力は使わない。左右の使い分けはどちらでもよい。
【００１６】
CONVERT  は、端末器とイヤホンとの接続を変更する配線部、
SW  は、測定モードの変更スイッチ、
c  と  b  が接続されたときは  Zs  と  Zm  の測定モード、
c  と  a  が接続されたときは  左右イヤホンの結合特性  の測定モード、
スイッチによって測定モードを切り換える理由は二つある。
第１には、通常の端末器では音響入力が一系統である。
第２には、いかなる端末器も、左右の電子回路の特性に、抵抗やコンデンサの定数のバラツキがあって、このバラツキが大きな誤差発生の要因となることから、電子回路の特性測定とイヤホンの起電力の測定の双方には、同一の入出力系統を使う。
Cu、Lu、Ru、Mu  は配線変換部の端末器側の端子である。
Cv、Lv、Rv  は配線変換部のイヤホン側の端子である。
Mv  は、マイクロホン端子であるが、マイクロホンの有無にかかわらず使わない。
【００１７】
EARPHONE  は、計測対象のイヤホン、
Rc  は、左右のイヤホンの共通リード線の電気抵抗、
Rc  は、左右イヤホンの結合係数の測定上、最も大きな誤差を発生する要因である。Rc  の値はイヤホンの種類によって大きく異なる。請求項に記述のように、Rc  が関係する項を  極小化し、無視できるまでに小さくすることによって、左右のイヤホンの結合係数を精密に測ることができる。
補正モードで測定された  Hsm0  を使って  Rc  が関係する項のキャンセル用信号  Ecan  を発生し、Ecan  即ち  k＊Hsm0＊Eg  なる信号の  k  を可変し、Em  に含まれる  Rc  が関係する項を極小化する。kmin  に関しては、請求項  第７の機能  として記述。
Rl  は、再生側イヤホンのリード線の電気抵抗、
Rr  は、検出側イヤホンのリード線の電気抵抗、
Rl、Zl、El  は、再生側イヤホンの、それぞれ、共通部を除くリード線の  電気抵抗  と電気インピーダンス  と  起電力、
Rr、Zr、Er  は、検出側イヤホンの、それぞれ、共通部を除くリード線の  電気抵抗  
と  電気インピーダンス  と  起電力、
検出側のイヤホンから発せられる再生音は  Rm  によって  Eg  に比例した電流源として供給される。これは  Rm  を  Rl  と  Zl  の影響を無視できるほどに大きくすることによる。El  は元々、微小であることから一般の供試イヤホンでは  El＜＜Eg  である。Eg  と  Rm  は市場で販売されているイヤホンの電気的性質の常識的範囲から設計的に決定する。
マイクロホンの起電力の検出は  Zm  による。
Zm  の入力インピーダンスは一般的に、Rl、Zl  を無視できるほど大きく、電流を消費しない。
従って、Ec  と  Er  なる二つの起電力は  電圧として測定される。
ここで、Ec  は第７の機能  で取り除かれ、Er  が左右のイヤホンの音響結合による起電力として計測される。
【００１８】
以上の理由によって、
検出側イヤホンの  音響結合による起電力は  Eg＊Hsm0＊｛1／Rm｝＊Glr  として、極めて簡素に表現できることになる。
CP  は、左右のイヤホンの結合ピース、
Ce、Le、Re  は、左右のイヤホンの共通端子で、
それぞれ、配線変換部の  Cv、Lv、Rv  へ接続される。
Me  は、マイクロホン端子であるが、マイクロホンの有無にかかわらず使わない。
【００１９】
以下は、端末器固有の電子回路の特性  Hsm0  の計算方法についての請求項の補足説明である。
Hsm0  は  請求項において詳細を記述のように、端末器の電子回路の固有特性である  ところの、信号発生系  Zs  と  信号検出系  Zm  の積  Zs＊Zm  である。
測定系が２系統ある場合は、Hsm0  は  イヤホンの起電力の測定と並行して測定可能であるが、本案の特徴として、１系統の測定系で切り替えスイッチにより測定される。
さらに、Zs＊Zm  は  Em0＊｛1／Eg0｝  で測定される。この関係式は  測定した信号  Em0  を  測定用信号  Eg0  で除して得られる定数であるが、複素数と遅延時間で表現される。周波数範囲は通常の音響信号の周波数範囲であって、一般的には20Hzか20kHzの範囲で十分である。
通常、測定用信号は音響信号帯域のホワイトノイズが用いられる。Em0  と  Eg0  の遅延時間は、双方の相互相関を求めることで算出できる。
【００２０】
一般的に、出力系統のアナログ変換と入力系統のディジタル変換の双方のサンプリングクロックは共通なので、演算に支障はない。極めて一部の汎用コンピューターでは双方が微弱ではあるが異なる場合があるが、これは例外であって、携帯端末装置では、例外なく、入出力の双方は同一クロックで動作する構造となっている。
【００２１】
Em0  と  Eg0  の遅延時間の関係を除外すると、Eg0  はホワイトノイズであって基準信号であることから、  Em0  の複素数表現またはインパルス応答表現が端末器の電子回路の特性、として表現される。
Hsm0  と  Glr  を求めるに必要な  相互相関と逆数と乗算などの演算の方法や手順  は信号処理の分野で公知であり、本案発名の本質ではないので、詳細説明を省略する。
【００２２】
以下は、左右のイヤホンの音響結合係数  Glr  を求めるに際し、測定結果から  最も実用的に必要充分な  Em  を測定する方法についての請求項の補足説明である。
ここでは、  前もって計測されている  Hsm0  を使って、
Ecan  即ち  k＊Hsmo＊Eg  なる信号を  再生側イヤホンに供給する信号  Eg  とは別に、信号処理内部で発生させる。
Ecan  は遅延時間に誤差が生じないよう、あらかじめ正確に  k＊Hsm0＊Eg  となるよう、設計的に信号を作る。Eg  を連続的に発生させながら、k  を可変し、リアルタイムに  kmin  を求めるか、あらかじめ決められた時間、信号を記録しておいて、一括して  kmin  を求めるか、いずれかの方法がある。端末器の場合は演算部をリアルタイムに動作させるか、またはリアルタイムと同様に動作させるには面倒な手続が必要とされることから、記録した計測信号について一括演算処理する方法が便利である。
kmin  を求めるには、k  を可変し、請求項に記述の  ABS(Em−Ecan)  が最小になる  k  を求めることで必要充分である。
【００２３】
Hsm0  や  Glr  を校正するラメーターの一つである遅延時間が、１サンプリングクロック単位ではない場合、例えば、
信号出力と信号入力がサンプリング周期に半サイクルのずれがある場合、
約30マイクロ秒から100マイクロ秒の音響結合による伝搬遅延時間がある場合、
が想定されるが、この遅延時間のサンプリング周期の半端の分を算出する場合、サンプリングポイントにある時刻の前のサンプリング時刻と次のサンプリング時刻を分割する比率よって、前のサンプリング値と次のサンプリング値のウェイトによって、その時刻のサンプリング値を近似値として算出することができる。
【００２４】
以下は、請求項に記述の  Pep＊Pep  と  Qep  と  Uep＊Uep  と  Vep  に関する補足説明である。
左右のイヤホンを音響結合して一方を再生側、他方を検出側  とすることで、測定したイヤホンの結合特性からイヤホンの再生特性を割り出す場合、同じ変換特性を保つイヤホン
がカスケードに接続されることから、結合特性が再生特性の自乗に依存する性質に基づくことによる。同様なことであるが、再生特せいの自乗は結合特性に対応する。
【００２５】
以下は、比例項の除去に関する請求項の補足説明である。
請求項に  比例項の除去  という記述があるが、これは、音響特性を横の周波数軸と縦の強度軸の双方の対数での表現が人の感性に対応していることに起因するものである。
イヤホンの音響特性  Pep  または  Uep  に  特定の比例係数を乗算することは  対数軸では全帯域で一定値を加算することと同じであることから、Pep  または  Uep  に含まれる  比例係数をどのような値に決定しようと、音質を特徴付ける特性のパターンは縦軸に並行移動するだけで音質特性の本質は変わらない。仮に、結論づけられた  Pep  または  Uep  が比例係数を持っていたとしても、最終的には感度調整という方法によって、実用段階で調整される。
従って、Em−Ecan  に含まれる  ｛1／Rm｝  の項を無視することができる。
【００２６】
Qep  は  ｛1／Pep｝  として表現されるところの、Pep  の逆関数である。
一般的に任意の  Pep  に関して、その逆関数が実現可能な定数として算出できる、とは限らない。しかし、複数個ではあるが有数のフィルターの種類とパラメーターを調整することで、限られた条件内で、最も近いフィルターを構成することができる。
たとえば、１２個の二次のフィルターのパラメーターを調整し、近似させることもできるし、例え１個の二次のフィルターでも、それなりに、最も近いパラメーターを決定することができる。
Pep  に対応する  インパルス応答を算出することで、そのインパルス応答から逆関数を算出することもできる。また、与えられたタップ数と可変範囲の範囲で、FIRフィルターのタップの係数を調整し、Pep  の逆関数を求めることができる。
逆数に関しては、1／Rm、1／Eg0、1／Hsm0、1／Eg、1／Uep、も同様である。
Uep  の場合は  Pep  の平滑化特性  であることから、逆数を得る計算行程で有限でない項が現れることは実応用面で極めて希であり、事実上皆無である。このことは請求項２に記述の  Pep  の平滑化は極めて有効な方法である。
逆数を求める具体的計算手順は公知であり、本案発明の本質には属さないことから、詳細説明を省略する。
【００２７】
以下は  スムーシングされた  Pep  を元にスムーシングを作用させた  Uep  の算出方法に関する  請求項２  の補足説明である。
特定の周波数上の特性の、その付近の平均を取る方法に関して、
人の聴覚が周波数軸に対しても強度に対しても対数的に表現されることから、対数周波数軸の範囲で対数強度を平均化する方法が一般的である。
最も簡単な方法として、フーリエ変換された周波数軸は通常リニア尺度であることから、対数軸に換算して平均化するには、その周波数の付近において、対数軸でのウェイトが必要である。その一つの方法として特定の係数、たとえば、オクターブを対数的に  ８分割  あるいは  １６分割  あるいは  ３２分割  し、それらの周波数軸上の強度の相乗平均または加算平均を求める。それを全周波数帯で実行し、全体のスムースな特性を求める。強度の相乗平均または相加平均を求める際、求める周波数からの離れる程度にウェイトを設ける手法もある。
【００２８】
また、特定の周波数範囲で、表現可能な曲線の条件群を設定し、その条件群の制約の範囲内で表現できる曲線であって、元の特性に最も近い曲線を求める方法がある。表現可能な曲線の条件とは、例えば、曲線の次数を設定し、曲線が決定される関数表現のパラメーター群と、その関数の制約条件である境界条件群によって曲線を求める。
その求め方についても幾つかの方法があって、最小自乗法のような手法を利用して一義的に期待する特性に最も近い曲線を表現するパラメーター群を求める方法もあれば、適応制御的に、パラメーターを操作しながら最も近い曲線を表現するパラメーター群を探し当てる方法もある。境界条件とは、範囲内の特性の  両端の値、傾斜値、最大傾斜値  などがある。いずれにしてもこれらのスムーシングの方法は公知あり、本案の本質とするところではないので、詳細説明を省略する。
【００２９】
以上の説明と請求項での記述のように、
解決しようとする課題  第1、第２、第３  が  解決するための手段  第１、第２、第３、第４、第５  によって  解決される。
【００３０】
図２は簡素化した原理説明のブロック図である。請求項と図１は測定精度を高めるための信号処理の構造を正確に記述するものであるが、図２は以下のように、計測に不要な項を設計的に取り除くことで、実用的なわかりやすく簡素に表現したものである。測定精度を上げるために、信号源を電流源とすることによって、不要な多くのファクターを無視できる測定系とすることができる。さらに、電子回路の特性を知ることで、適応制御によって、端末器で測定はできないが、測定対象には不要なファクターを取り除くことができ、端末器だけの機能で、左右のイヤホンの結合係数を測定できる。記号と演算の表現式は請求項と同じである。
【００３１】
再生側イヤホンには電流源信号が加えられるので、検出側のイヤホン端子の起電力はディジタル化された段階で  共通リード線の電圧降下  と  検出側イヤホンの音響結合による起電力の和  となる。
Ec＊Zm  は測定された  Hsm0  を利用して、係数  k  による適応制御により  生成した  信号  Ecan  によって  相殺される。
結果、  Er  の項である  Glr＊Eg＊Zs＊Zm＊｛1／Rm｝  即ち  
Glr＊Eg＊Hsm0＊｛1／Rm｝  が測定値から演算行程を経て抽出される。
ここで、  Rm  は比例係数なので、音質補正とは無関係のファクターであり、削除することができる。
Eg  と  Hsm0  は測定系では既知のファクターであり、結果、
Glr  を  Rm＊｛1／Hsm0｝＊｛Em−Ecan｝＊｛1／Eg｝  として求めることができる。Glr  は、比例係数であるところの  Rm  を除いて、他の全てのファクターは  完全に既知の設計値  と  精密な実測値で表現されることを示す。
【００３２】
本案の重要なところは、
測定によって、端末器の電子回路特性を既知の定数とすること、
検出側イヤホンへの電気信号を電流源とすること、
端末器のマイク入力がイヤホンにくらべ高インピーダンスであることを利用すること、
適応制御によって、計測できないファクターである  イヤホンの共通リード線の電気抵抗  のファクターを高精度で取り除くこと、
である。
【００３３】
図３は、左右のイヤホンのリード線が一部を共有する場合の音響結合の説明図。
一般的なイヤホンのイヤピースを装着した状態で、左右のイヤホンを音響的に結合した状態を示す。
1  と  2  は、それぞれ左と右のイヤホン、3  は結合ピース、4  は測定用の電気信号の入力方向、5  は左のイヤホンの再生音が右のイヤホンに伝わる方向、6  は右のイヤホンの端子信号、7  はイヤホンプラグ、8  は左右のイヤホンのリード線の分岐点、9  は左右のイヤホンの共通リード線の部分、10  は左右のリード線の共通端子、11  は左のイヤホンのリード線、21  は右のイヤホンのリード線、12  は左イヤホンのリード線の端子、22  は右イヤホンのリード線の端子である。
左右のグランド線を共有している部分の長さはイヤホンの種類によっても異なる。中には、グランド線の共有部分がない種類もある。一般的には、イヤホンプラグの内部や携帯端末の内部の配線にも左右のグランド線の共有部分があるので、厳密には、全てのイヤホンでグランド線の共有部分が存在する、と考えられる。
【００３４】
イヤホンによっては、マイクロホンを付属しているものがあるが、マイクロホンの有無にかかわらず、マイクロホン系統の端子は測定系に接続しない。
【００３５】
図４は  本案の一実施例による、４種類の市販のイヤホンの  特性の補正  と  演算途中の特性と  補正特性  と  補正後の再生特性  を示す。
細かく、刃こぼれのような大半のギザギザの特性は入力信号がホワイトノイズであることによるもので、測定対象のイヤホンの特性ではない。中には、局部共振による極めて細かいリップルも含まれている。いずれにしても、細かい音質特性については、一般の音楽のリスニングで感じるものではない。期待再生特性  Wexp  が  １  即ち、期待特性が平坦の場合である。特性図の  40Hz  以下の周波数帯域での著しい低音減衰は  特性の観測に使ったモニター用の  FFT  の特性であって、演算結果そのものを示すものではない。
【００３６】
図４（ａ）は、市場では最も安価で、低音再生の強度が小さい一例
図４（ｂ）は、市場では比較的高価で、低音再生の強度が大きい一例
図４（ｃ）は、市場で最も高価な、一例
図４（ｄ）は、市場で最も普及している価格の一例の測定結果、
【００３７】
a1、b1、c1、d1  は、共通リード線の電圧降下を補正せずに測定した検出側イヤホンの端子電圧の測定結果、
a2、b2、c2、d2  は、共通リード線の電圧降下を差し引いた、補正後の検出側イヤホンの起電力から求めた  イヤホン固有の再生特性、
a3、b3、c3、d3  は、測定演算の結果から求めたイヤホン固有の再生特性を期待特性に補正を作用させた再生特性、
a4、b4、c4、d4  は、測定演算の結果から求めたイヤホン固有の再生特性から期待特性への補正特性である。
【００３８】
４種類のイヤホンはそれぞれ特徴があり、実使用状態でもそれぞれの音質に顕著な相違が
ある。４種類のいずれも、Wexp  が  1  の場合であることから、特性が平坦となるように補正されているが、補正後の音質にどのような音質が求められるかは、ユーザーの好みに依存することから、一般的には  Wexp  は任意の音質特性である。
また、イヤホンの装着状態によって、装着の深さは特に低音再生特性に大きく影響し、装着状態の角度は高音再生に大きく影響を及ぼす。このような理由から、期待特性は基本的に規準装着状態を想定した特性、または、幾つかの使用状態に対応した特性が望ましい。
補正後の特性は完全に平坦な特性ではないが、どの程度平坦にするか、一般的にはどの程度、期待特性に近づけるかについては、その程度に善し悪しがある。細かい凹凸は局部共振や装着状態による定在波などに依存し、実使用状態において不安定な特性の部類に入る。不安定な特性は音質に良い結果を生まない。いずれの補正結果の例も、高域で小刻みな波を残しているが、これ以上の細かい補正は実用上、音質的にも意味を持たない。図３は、実用的な範囲の適度な精度での補正例である。
【符号の説明】
【００３９】
PROGRAM  端末器内部の数値信号処理部、
CTL  測定系の操作インタフェース、制御、演算、記憶、を司る機能、
WG  測定用の時系列数値信号を発生する機能、
Eg  WG  が発生する測定用信号
MP  検出側イヤホンからの信号を時系列数値信号として読み取る機能、
START  システムを起動させる端末器への合図、
BASE  測定を機能させる端末器への合図、
MES  測定を機能させる端末器への合図、
Wexp  期待イヤホン特性
Hsm0  端末器の電子回路部の固有の特性
k、Kmin  共通リード線の電気抵抗の影響を除くための可変係数と  k  の特定の値
Pep  イヤホンの固有特性
Qep  イヤホンの音質補正特性
Uep  平滑化したイヤホンの固有特性
Vep  平滑化されたイヤホンの音質補正特性
【００４０】
DEVICE  数値信号と電気信号  の相互の変換部
Zs  数値信号を電気信号に変換する電子回路の変換特性
Zm  電気信号を数値信号に変換する電子回路の変換特性
Cs、Ls、Rs、Ms  それぞれ、左右のイヤホンの端子
【００４１】
CONVERT  端末器とイヤホンとの接続を変更する配線部
SW  測定モードのスイッチ
Cu、Lu、Ru、Mu  配線変換部の端子
Cv、Lv、Rv  は配線変換部の端子
Mv  使用しないマイクロホン端子
【００４２】
EARPHONE  計測対象のイヤホン
Rc  共通リード線の電気抵抗
Rl  再生側イヤホンのリード線の電気抵抗
Rr  検出側イヤホンのリード線の電気抵抗
Zl、El  再生側イヤホンの、電気インピーダンスと起電力
Zr、Er  検出側イヤホンの、電気インピーダンスと起電力
CP  は、左右のイヤホンの結合ピース
Ce、Le、Re  イヤホンの端子
Me  使用しないマイクロホン端子
【００４３】
1、2  それぞれ左と右のイヤホン
3  結合ピース
4  測定用の電気信号の入力方向
5  左のイヤホンの再生音が右のイヤホンに伝わる方向
6  右のイヤホンの端子信号
7  イヤホンプラグ
8  左右のイヤホンのリード線の分岐点
9  左右のイヤホンの共通リード線の部分
10  は左右のリード線の共通端子
11  左のイヤホンのリード線
21  右のイヤホンのリード線
12  左イヤホンのリード線の端子
22  右イヤホンのリード線の端子
【００４４】
a1、b1、c1、d1  共通リード線の電圧降下の補正なしの検出側イヤホンの端子電圧
a2、b2、c2、d2  共通リード線の電圧降下を差し引いた、イヤホン固有の再生特性
a3、b3、c3、d3  測定演算により求めたイヤホン固有の再生特性の補正後の再生特性
a4、b4、c4、d4  測定演算により求めたイヤホン固有の再生特性の補正特性
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
端末器とは、音響信号の入出力機能を備えた、コンピューターまたはプレーヤーまたは携帯電話またはスマートフォンであるとし、
特性とは周波数に対するゲイン特性または強度特性を意味するものとし、
強度とは、実効値または平均値または最大値に相当するところの、信号または特性またはゲインの大きさとし、
測定用信号  とは、音響周波数帯域の、ホワイトノイズまたは正弦波スイープ信号または矩形波信号であって、イヤホンの特性測定のための信号であるものとし、
記号  ＋  −  ＊  ／  は、それぞれ  加算  減算  乗算  除算  の演算子とし、
｛  ｝  内の演算は  ｛  ｝  外に優先するものとし、
F(  )  を、 F   に続く  （  ） 内  に示す  変数群を持つ、特定の関数とし、
ABS(  )  は  (  )  内の項の強度を意味するものとし、
＞＞  は  左の項が右の項に比べ強度が十分に大きいことを意味するものとし、
イヤホンの固有特性  とは、特定のイヤホンに固有の、電気入力に対する音響出力の周波数特性であるとし、
結合ピース  とは、左右のイヤホンの音の出口どうしを音響的に結合するピースとし、
再生側イヤホン  とは、測定用の電気信号を再生する側のイヤホンとし、  
検出側イヤホン  とは、再生側イヤホンの再生音によって結合ピースを介して起電力を発生する側のイヤホンとし、
音響結合  とは、結合ピース  を介した音響結合によって、検出側イヤホンから起電力を発生させることとし、
測定のための  ディジタル信号発生、ディジタル化された信号の扱い、演算処理は  端末器のディジタル信号処理機能によって行われるものとし、
Eg  を、ディジタル信号による測定用信号とし、
第１の機能  を、Eg  を発生する機能とし、
Em  を、ディジタル信号に変換された検出信号とし、
第２の機能  を  Em  を得る機能とし、
Zs  を、ディジタル信号を電気信号へ変換する電子回路の変換特性とし、
Zm を、電気信号をディジタル信号へ変換する電子回路の変換特性とし、
Rm  を、再生側のイヤホンに与える信号を電流源信号とするための、再生側イヤホンに直列に接続する電気抵抗とし、
第３の機能  を、Rm  を用いることとし、
Rc  を、左右のイヤホンのリード線の共通部の電気抵抗とし、
Rl  を、再生側の共通リード線の共通部を除く電気抵抗とし、
Rr  を、検出側の共通リード線の共通部を除く電気抵抗とし、
Zl  を、再生側のイヤホンの電気音響変換部の電気インピーダンスとし、
Zr  を、検出側のイヤホンの音響電気変換部の電気インピーダンスとし、
El  を、再生側イヤホンの起電力とし、
Er  を、検出側イヤホンの起電力とし、
Ec  を、左右のイヤホンの共通リード線の電圧降下とし、
Glr  を、再生側のイヤホンに流す電流に対する、検出側のイヤホンに発生する起電力への結合係数とし、
k  を、調節可能な比例係数とし、
上記の記号に関し、
Rm、Rc、Rl、Rr、k  は複素数でもなく遅延もない比例係数であり、
Zm、Zs、Zl、Zr、Pep、Qep、Wexp、Uep、Vep  は複素数で表現される定数であり、
Eg、Em、Ec、El、Er、Eg0、Em0、Ecan  はディジタル信号で表現されるものとし、
Hsm0、Glr  は端末器のディジタル信号処理によって得られるところの、複素数と遅延時間で表現される定数とし、
Em  を  F(Eg, Zs, Rm, Rc, Rl, Rr, Zl, Zr El, Er, Zm）  と表現するものとし、これを
関係１  とし、
Rm  ＞＞  Rc  
Rm  ＞＞  Rl
Rm  ＞＞  ABS(Zl)  
Rm  ＞＞  ABS(Zr)
ABS(Eg＊Zs)  ＞＞  ABS(El)
上の  五つの条件は  再生側イヤホンに加える測定用の電気信号が、Rc  と  Rl  と  Zl  と  El  の影響を無視できる程度に、高出力インピーダンス信号源、即ち電流信号源であることを理由とし、
ABS(Zm  の入力インピーダンス)  ＞＞  Rc
ABS(Zm  の入力インピーダンス)  ＞＞  Rr
ABS(Zm  の入力インピーダンス)  ＞＞  ABS(Zr)
上の  三つの条件は、検出側イヤホンの端子電圧が  Rc  と  Rr  と  Zr  の影響を受けない程度の  高入力インピーダンス測定回路  であることを意味し、
上記八つの条件から、関係１  が
Em  が  F(Eg, Zs, Rm, Rc, Er, Zm）  と表現できることを利用するものとし、
Ec  即ち、Ec＊Zm  が  ディジタル信号では、Eg＊Zs＊｛1／Rm｝＊Rc＊Zm  と計測されることを利用するものとし、
これを
関係２  とし、
再生側のイヤホンを流れる電流が  Eg＊Zs＊｛1／Rm｝  であることを利用するものとし、
Er  が再生側イヤホンを流れる電流に、左右のイヤホンの結合整数を乗じた値として表現されることから、
Er  が  Er＊Zm  即ち、ディジタル信号では、Eg＊Zs＊｛1／Rm｝＊Glr＊Zm  と計測されることを利用するものとし、
これを
関係３  とし、
Em  は  Ec＊Zm  と  Er＊Zm  を加算した値であることから、関係２  と  関係３  により、
Em  を  ｛Eg＊Zs＊｛1／Rm｝＊Rc＊Zm｝＋｛Eg＊Zs＊｛1／Rm｝＊Glr＊Zm｝  と表現できることを利用するものとし、これを
関係４  とし
Eg0  を、検出側イヤホンにつながる端末器イヤホン出力端子と  マイクロホン入力端子を接続したときの  再生出力のディジタル信号とし、
Em0  を、Eg0  が端末器の電子回路を通して検出された、ディジタル信号とし、
Hsm0  を  Em0＊｛1／Eg0｝  とし、さらに、
Hsm0  は  Zs＊Zm  即ち、信号源側から検出側に至る経路で、端末器の電子回路が持つ固有の定数であって、測定範囲内の  Eg  のいかなる信号にも不変であることを利用するものとし、これを
関係５  とし、
Hsm0  を得るための操作、即ち、検出側イヤホンの入力端子から端末器のマイクロホン端子へつながっている接続線を切り離して、端末器の再生側イヤホン端子につながっているイヤホン端子とマイクロホン入力端子とを接続した状態で  Hsm0  を得る機能を
第４の機能  とし、
関係５  を  関係４  に代入すると、
Em  は  ｛Hsm0＊Rc＊｛1／Rm｝＊Eg｝＋｛Hsm0＊Glr＊｛1／Rm｝＊Eg｝
と表現されることを利用するものとし、
Ecan  を  k＊Hsm0＊Eg  とする  ディジタル信号とし、
Ecan  を発生させる機能を
第５の機能  とし、
ABS(Er＊Zm)  ＞＞  ABS(Ec＊Zm−Ecan）  を最大限に満足するところの、即ち、
ABS(Ec＊Zm−Ecan)  が最小になるところの、即ち
ABS(Em−Ecan)  が最小になるところの、
k  即ち  Ecan  の強度の係数を求め、  
kmin  をこのときの  k  とし、
第６の機能  を  kmin  を求める機能とし、
kmin  による  Em−Ecan  が実用上、｛Hsm0＊Glr＊｛1／Rm｝＊Eg｝  に等しくなる、
即ち、ABS(Em−Ecan)  が最小になるところの  Em−Ecan  によって、
Glr  即ち、左右のイヤホンの結合係数が
Rm＊｛1／Hsm0｝＊｛Em−Ecan｝＊｛1／Eg｝  として計測できることを利用するものとし、
左右のイヤホンの結合係数  Glr  を得る機能を
第７の機能  とし、
この結合係数  Glr  の中の、Rm  は比例係数であり、イヤホンの結合係数の音質的特徴とは関係のないファクターであることから、
Rm  を除いた、｛1／Hsm0｝＊｛Em−Ecan｝＊｛1／Eg｝  なる  端末器側で得られたところの全ての項が既知の値で表現される測定演算結果を  左右のイヤホンの結合係数  とし、
Pep＊Pep  が  ｛1／Hsm0｝＊｛Em−Ecan｝＊｛1／Eg｝  に等しくなる  Pep  を  測定したイヤホン固有の音質特性  とし、これを
関係６とし、
Wexp  を、音質補正を作用させることで得たい  補正後の特性とし、
Wexp  は  １  である場合も含む、選択可能な特性であるものとし、
Qep  が  ｛Wexp／Pep｝  に等しくなる  ところの  Qep  を  そのイヤホン固有の  Wexp  への音質補正特性  とし、
Qep  を算出する機能を
第８の機能  とし、
Qep  が比例係数を含むことを考慮に入れて、A  を特定の定数とするところの  A＊Qep  をイヤホン固有の音質補正特性とする機能を
第９の機能  とし、
A  の値は、Qep  を算出するまでの測定系特性の  スカラー量である係数  や構成しようとする  音質補正特性のフィルターの構造に適した、設計的に決定方法が決定されるところの  スカラー量であるものとし、
第８  または  第９  の機能を  音質補正特性決定機能  とし、
第１０の機能  を  音質補正特性決定機能  とし、
いずれも公知の機能であるところの
測定用信号をディジタル信号で発生する  第１の機能  と、
検出信号をディジタル信号で測定する  第２の機能  と、
測定用信号を電流源とする  第３の機能  と、
端末器の、ディジタル信号と電気信号の変換を司る部分の総合特性を得る  第４の機能  と、
イヤホンの共通リード線の起電力を打ち消す信号を発生する  第５の機能  と、
イヤホンの共通リード線の起電力を打ち消す信号の係数を決定する  第６  の機能  と、
左右のイヤホンの結合係数を算出する  第７の機能  と、
測定したイヤホンに固有の音質補正特性を算出する  第１０の機能  と、を組み合わせることで、
端末器の電子回路部の左右の違いによる誤差の影響を回避し、かつ、端末器の固有の特性の影響を補正することで、左右のイヤホンの共通リード線の電圧降下の影響をより高い精度で取り除き、左右のイヤホンの音響結合特性の測定精度を上げることによって得られるイヤホン固有の再生特性から、期待する再生特性へと変換する補正特性を得る方法。
【請求項２】
請求項１の関係６で表現される  Pep  なるイヤホン固有の特性の、強度特性が持つ細かい凹凸を平滑化し、滑らかな特性とする機能を  スムーシング機能とし、
平滑化特性  を、スムーシング機能によって得られたイヤホンの固有の特性とし、
ある一点の周波数上の  平滑化特性  を、その周波数近傍の  Pep  の強度の平均値で求めることによって全周波数帯域の平均化特性を求める機能を  特性平均化機能とし、
第１１の機能  を  特性平均化機能  とし、
複数個のパラメーター群  によって表現され、かつ、あらかじめ決定した複数個の境界条件群を満足する  単調関数  を設定し、
その単調関数を周波数に対する強度特性とし、その単調関数の強度特性が  境界条件群を満足し、かつ、特定の周波数範囲の  Pep  の強度特性に最も近くなる条件を満足する  パラメーター群  による単調関数を全帯域にわたり求め、全帯域の単調関数群を平均化特性とする機能を  特性関数表現化機能  とし、
第１２の機能  を  特性関数表現化機能  とし、
第１１の機能である特性平均化機能  かまたは  第１２の機能である特性関数表現化機能  のいずれかを  スムーシング機能とし、
第１３の機能  をスムーシング機能とし、
Uep  を、スムーシング機能によって得られた  平滑化特性  とし、
Vep  が  ｛Wexp／Uep｝  に等しくなる  Vep  をイヤホン固有の平滑化音質補正特性  とし、
Vep  を算出する機能を
第１４の機能  とし、
Vep  が比例係数を含むことを考慮に入れて、A  を特定の定数とするところの  A＊Vep  をイヤホン固有の平滑化音質補正特性とする機能を
第１５の機能  とし、
A  の値は、Vep  を算出するまでの測定系特性の  スカラー量である係数  や構成しようとする  音質補正特性のフィルターの構造に適した、設計的に決定方法が決定されるところの  スカラー量であるものとし、
第１４の機能  または  第１５の機能  を平滑化音質補正特性決定機能とし、
第１６の機能  を  平滑化音質補正特性決定機能  とし、
請求項１に記述の  音質補正特性決定機能  が  第１６の機能  の  平滑化音質補正特性決定機能  であるところの、
いずれも公知の機能であるところの
請求項１に記述の
測定用信号を時系列の数値で発生する  第１の機能  と、
検出信号を時系列の数値で測定する  第２の機能  と、
測定用信号を電流源とする  第３の機能  と、
端末器の  数値信号と電気信号の変換を司る部分の総合特性を得る  第４の機能  と、
イヤホンの共通リード線の起電力を打ち消す信号を発生する  第５  の機能  と、
イヤホンの共通リード線の起電力を打ち消す信号の係数を決定する  第６  の機能  と、
左右のイヤホンの結合係数を算出する  第７の機能  と、
測定したイヤホンに固有の音質補正特性を算出する  第１０の機能  と
請求項２に記述の、
測定したイヤホンに固有の平滑化音質補正特性を算出する  第１６の機能  と、
を組み合わせることで、
端末器の電子回路部の左右の違いによる誤差の影響を回避し、かつ、端末器の固有の特性の影響を補正しすることで、左右のイヤホンの共通リード線の電圧降下の影響を、より高い精度で取り除き、左右のイヤホンの音響結合特性の測定精度を上げることによって、得られるイヤホン固有の再生特性をもとに、細かい凹凸の特性を  平滑化した  平滑化補正特性  を用いることを特徴とする、より実用性の高い音質を得るところの  与えられたイヤホン固有の再生特性を、期待する音質特性へと変換する補正特性を得る方法。
【手続補正２】
【補正対象書類名】明細書
【補正対象項目名】全文
【補正方法】変更
【補正の内容】
【発明の詳細な説明】
【技術分野】
【０００１】
インナーイヤホンの再生特性測定とその補正
請求項で定義した  用語  と  記号  は明細書においても同様とする。
【背景技術】
【０００２】
イヤホンの再生特性測定
イヤホンの再生特性補正
携帯電話やスマートフォンなど、音楽再生機能を持つ  携帯端末器  は  強力な計算処理機能と大量のメモリーと音響信号の入出力機能またはマイクロホンの入力があって、イヤホンの再生特性の測定には十分である。
適応制御
高速フーリエ変換と高速フーリエ逆変換とインパルス応答と  それらの相互変換
音響信号処理
最小自乗法
スマートフォンの音楽プレーヤーが持つ特有の音響信号処理構造、即ち、リアルタイム処理でなければならない信号処理にもかかわらず、使うことができるCPU資源が小刻みな一括信号処理に依存する仕組みとその仕組みを有効に使う方法。
【先行技術文献】
【特許文献】
【０００３】
特願2015-023144  は測定による、左右のイヤホンの結合特性から、イヤホンの再生特性を算出し、その結果からイヤホン固有の再生特性を標準特性に補正するための補正特性を割り出すものである。この方法は、検出側に、信号源の信号をリアルタイムで必要とすることから、検出信号系が２系統必要である。一般的に、イヤホンが使われるスマートフォンはマイクロホンの検出端子が１系統である。
さらに、検出側イヤホンの起電力を求めるに際し、スマートフォンの音響入力系統のディジタル信号と電気信号の相互に変換する過程での、個々のスマートフォン固有の変換部の
抵抗やコンデンサの素子が持つバラツキによって左右の特性に若干の相違があって、この若干の相違は演算途中の差を求める演算行程を持つことからイヤホンの結合特性の測定誤差を顕著に大きくする。
特に、左右のイヤホンの共通リード線の電圧降下補正は減算行程を持っていることから、そして、イヤホンによっては、その大きさが取り出そうとする信号よりも大きい場合も多く、小さな誤差でも測定結果の大きな誤差要因となる。
本案発明は、上記の誤差に関係する問題を大幅に改善し、精密な補正特性を得る手段に関する。
【発明の開示】
【発明が解決しようとする課題】
【０００４】
第１に、左右のイヤホンを音響結合させることにより、イヤホンの再生特性を測る場合、左右のイヤホンの共通リード線の電圧降下の精密な補正が難しい。
第２に、スマートフォンはマイクロホン入力が１系統である。
第３に、音質補正は適度におおざっぱな方法でなければならない。局部的に特徴を持つ特性は返って不安定な音質となる。
【課題を解決するための手段】
【０００５】
一対の左右のイヤホンの音の出口を音響的に結合させ、片側を  測定用信号  の再生用、他方をマイクロホンとしての検出用として機能させる。
端末器  から  測定用信号  を再生し、片方のイヤホンの端子へ入力し、他方のイヤホンの端子に発生する起電力をマイクロホン入力から取り込み測定する方法において、
第１に、再生側イヤホンへ電流源の信号を供給する。
第２に、測定に使う信号入出力を一つの出力端子と一つの入力端子でまかなう。
第３に、端末器の電子回路の特性を測定し、精密な測定に反映させる。
第４に、左右のイヤホンが共有するリード線部の電圧降下を、上記  第１、第２、第３  の手段を使って精密に補正し、音響結合による  左右のイヤホン  の  結合特性  を割り出すことで、与えられたイヤホン固有の再生特性を算出する。
第５に、測定算出したイヤホンの固有の再生特性の細かい凹凸を持つ強度特性を  適度に滑らかに補正することで、実使用状態で、安定した、総合的に良質の再生音を得る。
【発明の効果】
【０００６】
第１に、簡単な手法、即ち、左右のイヤホンを音響結合させる手法でも、イヤホンの固有特性を高い精度で測定することができる。
第２に、第1の結果であるが、細かい凹凸のある複雑な特性ではあるが、高い精度で測定されている音響特性を丸め込むことで、適切で的を得た平滑化特性を得ることができる。
第３に、  第１と第２の結果であるが、期待イヤホン再生特性  の音質になるよう、補正されたイヤホンの音質は、一定の水準の音質を基準に、実使用で安定した補正特性を得ることができる。
【図面の簡単な説明】
【０００７】
【図１】左右のイヤホンの音響結合係数測定の一実施例の説明図。
【図２】簡素化した原理説明図
【図３】左右のイヤホンのリード線が一部を共有する場合の音響結合の説明図。
【図４】４種類のイヤホンの特性測定例と音質補正例。
【発明を実施するための最良の形態】
【０００８】
イヤホン特性測定用の携帯端末器のアプリケーションプログラム  と  結合ピース  と  測定用接続アダプタ  をセットにした、アフターマーケットのイヤホン特性補正用商品。
イヤホンの付属品。
【産業上の利用可能性】
【０００９】
ユーザーが購入したイヤホンの音質が気に入らないときのイヤホンの音質補正サービス。
ミュージシャンや、音質を決定する技術者が、特定の楽曲で、特定の音質を提供したときの楽曲を提供する側が供給できる、イヤホンの種類を選ばない音質補正。
期待特性を弱難聴者用の最適特性とするイヤホン再生特性補正。
騒音中のノイズリダクション型のイヤホンピースに最適な音質補正。
【実施例】
【００１０】
図１は本案発明の測定系の一実施例の説明図。
図１の記号は請求項に記述と同じである。
一般的なイヤホンのイヤピースを外した状態で、左右のイヤホンを音響的に結合させ、
測定と演算によってイヤホンの補正特性を求める手法の構成図を示す。以下の説明は、請求項の補足説明である。
【００１１】
結合ピース  CP  は左右のイヤホンを音響的に結合する役割を持つ。
再生側イヤホンに供給する信号は電流源である。
再生側イヤホン  の再生音は音響結合により、  検出側イヤホン  に伝わり  検出側イヤホンは起電力を発生する。その起電力の  測定用信号  に対する関係はイヤホンの変換特性に依存する。検出側イヤホンの起電力を直接測定することはできないので、検出側イヤホンのイヤホン端子から得た電気信号から、左右のイヤホンの共通リード線の電圧降下を差し引くことで音響結合による検出側イヤホンの起電力割り出す。端末器のディジタル信号と電気信号の相互の変換を司る電子回路の特性を考慮に入れることで、測定精度を上げる。また、測定系は、測定精度を上げる目的で、片側チャンルだけを使って、電子回路系の特性とイヤホンの結合特性の双方を、スイッチにより切り換えて測定する。
【００１２】
図１中、
PROGRAM  は、端末器内部のディジタル信号処理部、
CTL  は、測定系の操作インタフェース、制御、演算、記憶、を司る機能、
WG  は、測定用のディジタル信号を発生する機能、
Eg  は  Wg  が発生する測定用の信号であり、本案発明の実証に際しては、音響帯域のホワイトノイズを使っている。一般的には、その他に、インパルス信号、矩形波信号、正弦波スイープ信号があるが、いずれも、論理的に相互変換が可能である。ディジタル信号処理にはホワイトノイズが最も扱い安く、測定結果が人の聴覚とマッチングしていることから、図４の測定結果にはホワイトノイズを使っている。
【００１３】
START  は、測定システムを起動させる端末器への合図、
BASE  は、端末器の電子回路の特性測定を機能させる端末器への合図、
この時点で後述のスイッチは  b  と  c  が接続されているところの、端末器の内部電子回路の測定モードである。
請求項で記述の  Eg0  を発生し、Em0  を測定することで、
端末器の内部定数  Zs＊Zm  即ち  Em0＊｛1／Eg0｝  即ち  Hsm0  を割り出す。
MES  は、検出側イヤホンの起電測定を機能させる端末器への合図、
この時点で後述のスイッチは  a  と  c  が接続されているところの、左右のイヤホンの結合係数の測定モードである。
請求項で記述の  Eg  を発生し、Em  を測定し、請求項で記述の、無視できる誤差を除去した後、
左右イヤホンの結合係数  Glr  Rm＊｛1／Hsm0｝＊Em＊｛1／Eg｝  を求める。
【００１４】
Wexp  は、補正後の期待イヤホン特性
Hsm0  は、計測演算によって求めた  端末器の電子回路部の固有の特性、
k、Kmin  は、イヤホンの共通リード線の電気抵抗の影響を除くための可変係数と
求めた  k  の値、
Pep  は、測定演算によって求めたイヤホンの固有特性、
Qep  は、Pep  と  Wexp  から求められた  イヤホンの音質補正特性、
Uep  は、Pep  を平滑化したイヤホンの固有特性、
Vep  は、Uep  と  Wexp  から求めた  イヤホンの音質補正特性
【００１５】
DEVICE  は、端末器内部のディジタル信号と電気信号  の相互の変換部、
Zs  は、ディジタル信号を電気信号に変換する電子回路の変換特性、
Zm  は、電気信号をディジタル信号に変換する電子回路の変換特性、
Cs、Ls、Rs、Ms  は、それぞれ、端末器の  左右のイヤホンの共通端子、左出力端子、右出力端子、マイクロホン入力端子である。
この測定例では、右出力は使わない。左右の使い分けはどちらでもよい。
【００１６】
CONVERT  は、端末器とイヤホンとの接続を変更する配線部、
SW  は、測定モードの変更スイッチ、
c  と  b  が接続されたときは  Zs  と  Zm  の測定モード、
c  と  a  が接続されたときは  左右イヤホンの結合特性  の測定モード、
スイッチによって測定モードを切り換える理由は二つある。
第１には、通常の端末器では音響入力が一系統である。
第２には、いかなる端末器も、左右の電子回路の特性に、抵抗やコンデンサの定数のバラツキがあって、このバラツキが大きな誤差発生の要因となることから、電子回路の特性測定とイヤホンの起電力の測定の双方には、同一の入出力系統を使う。
Cu、Lu、Ru、Mu  は配線変換部の端末器側の端子である。
Cv、Lv、Rv  は配線変換部のイヤホン側の端子である。
Mv  は、マイクロホン端子であるが、マイクロホンの有無にかかわらず使わない。
【００１７】
EARPHONE  は、計測対象のイヤホン、
Rc  は、左右のイヤホンの共通リード線の電気抵抗、
Rc  は、左右イヤホンの結合係数の測定上、最も大きな誤差を発生する要因である。Rc  の値はイヤホンの種類によって大きく異なる。請求項に記述のように、Rc  が関係する項を  極小化し、無視できるまでに小さくすることによって、左右のイヤホンの結合係数を精密に測ることができる。
補正モードで測定された  Hsm0  を使って  Rc  が関係する項のキャンセル用信号  Ecan  を発生し、Ecan  即ち  k＊Hsm0＊Eg  なる信号の  k  を可変し、Em  に含まれる  Rc  が関係する項を極小化する。kmin  に関しては、請求項  第７の機能  として記述。
Rl  は、再生側イヤホンのリード線の電気抵抗、
Rr  は、検出側イヤホンのリード線の電気抵抗、
Rl、Zl、El  は、再生側イヤホンの、それぞれ、共通部を除くリード線の  電気抵抗  と電気インピーダンス  と  起電力、
Rr、Zr、Er  は、検出側イヤホンの、それぞれ、共通部を除くリード線の  電気抵抗  
と  電気インピーダンス  と  起電力、
検出側のイヤホンから発せられる再生音は  Rm  によって  Eg  に比例した電流源として供給される。これは  Rm  を  Rl  と  Zl  の影響を無視できるほどに大きくすることによる。El  は元々、微小であり、一般の供試イヤホンでは  El＜＜Eg＊Zs  となるよう測定パラメータを設計する。  である。Eg  と  Rm  は市場で販売されているところの携帯端末の信号出力部の大まかな実測値とイヤホンの電気的性質の常識的範囲から設計的に決定する。
マイクロホンの起電力の検出は  Zm  による。
Zm  の入力インピーダンスは一般的に、Rl、Zl  を無視できるほど大きく、電流を消費しない。
従って、Ec  と  Er  なる二つの起電力は  電圧として測定される。
ここで、Ec  は第７の機能  で取り除かれ、Er  が左右のイヤホンの音響結合による起電力として計測される。
【００１８】
以上の理由によって、
検出側イヤホンの  音響結合による起電力は  Eg＊Hsm0＊｛1／Rm｝＊Glr  として、極めて簡素に表現できることになる。
CP  は、左右のイヤホンの結合ピース、
Ce、Le、Re  は、左右のイヤホンの共通端子で、
それぞれ、配線変換部の  Cv、Lv、Rv  へ接続される。
Me  は、マイクロホン端子であるが、マイクロホンの有無にかかわらず使わない。
【００１９】
以下は、端末器固有の電子回路の特性  Hsm0  の計算方法についての請求項の補足説明である。
Hsm0  は  請求項において詳細を記述のように、端末器の電子回路の固有特性である  ところの、信号発生系  Zs  と  信号検出系  Zm  の積  Zs＊Zm  である。
測定系が２系統ある場合は、Hsm0  は  イヤホンの起電力の測定と並行して測定可能であるが、本案の特徴として、１系統の測定系で切り替えスイッチにより測定される。
さらに、Zs＊Zm  は  Em0＊｛1／Eg0｝  で測定される。この関係式は  測定した信号  Em0  を  測定用信号  Eg0  で除して得られる定数であるが、複素数と遅延時間で表現される。周波数範囲は通常の音響信号の周波数範囲であって、一般的には20Hzか20kHzの範囲で十分である。
通常、測定用信号は音響信号帯域のホワイトノイズが用いられる。Em0  と  Eg0  の遅延時間は、双方の相互相関を求めることで算出できる。
【００２０】
一般的に、出力系統のアナログ変換と入力系統のディジタル変換の双方のサンプリングクロックは共通なので、演算に支障はない。極めて一部の汎用コンピューターでは双方が微弱ではあるが異なる場合があるが、これは例外であって、携帯端末装置では、例外なく、入出力の双方は同一クロックで動作する構造となっている。
【００２１】
Em0  と  Eg0  の遅延時間の関係を除外すると、Eg0  はホワイトノイズであって基準信号であることから、  Em0  の複素数表現またはインパルス応答表現が端末器の電子回路の特性、として表現される。
Hsm0  と  Glr  を求めるに必要な  相互相関と逆数と乗算などの演算の方法や手順  は信号処理の分野で公知であり、本案発名の本質ではないので、詳細説明を省略する。
【００２２】
以下は、左右のイヤホンの音響結合係数  Glr  を求めるに際し、測定結果から  最も実用的に必要充分な  Em  を測定する方法についての請求項の補足説明である。
ここでは、  前もって計測されている  Hsm0  を使って、
Ecan  即ち  k＊Hsmo＊Eg  なる信号を  再生側イヤホンに供給する信号  Eg  とは別に、信号処理内部で発生させる。
Ecan  は遅延時間に誤差が生じないよう、あらかじめ正確に  k＊Hsm0＊Eg  となるよう、設計的に信号を作る。Eg  を連続的に発生させながら、k  を可変し、リアルタイムに  kmin  を求めるか、あらかじめ決められた時間、信号を記録しておいて、一括して  kmin  を求めるか、いずれかの方法がある。端末器の場合は演算部をリアルタイムに動作させるか、またはリアルタイムと同様に動作させるには面倒な手続が必要とされることから、記録した計測信号について一括演算処理する方法が便利である。
kmin  を求めるには、k  を可変し、請求項に記述の  ABS(Em−Ecan)  が最小になる  k  を求めることで必要充分である。
【００２３】
Hsm0  や  Glr  を校正するラメーターの一つである遅延時間が、１サンプリングクロック単位ではない場合、例えば、
信号出力と信号入力がサンプリング周期に半サイクルのずれがある場合、
約30マイクロ秒から100マイクロ秒の音響結合による伝搬遅延時間がある場合、
が想定されるが、この遅延時間のサンプリング周期の半端の分を算出する場合、サンプリングポイントにある時刻の前のサンプリング時刻と次のサンプリング時刻を分割する比率よって、前のサンプリング値と次のサンプリング値のウェイトによって、その時刻のサンプリング値を近似値として算出することができる。
【００２４】
以下は、請求項に記述の  Pep＊Pep  と  Qep  と  Uep＊Uep  と  Vep  に関する補足説明である。
左右のイヤホンを音響結合して一方を再生側、他方を検出側  とすることで、測定したイヤホンの結合特性からイヤホンの再生特性を割り出す場合、同じ変換特性を保つイヤホン
がカスケードに接続されることから、結合特性が再生特性の自乗に依存する性質に基づくことによる。同様なことであるが、再生特せいの自乗は結合特性に対応する。
【００２５】
以下は、比例項の除去に関する請求項の補足説明である。
請求項に  比例項の除去  という記述があるが、これは、音響特性を横の周波数軸と縦の強度軸の双方の対数での表現が人の感性に対応していることに起因するものである。
イヤホンの音響特性  Pep  または  Uep  に  特定の比例係数を乗算することは  対数軸では全帯域で一定値を加算することと同じであることから、Pep  または  Uep  に含まれる  比例係数をどのような値に決定しようと、音質を特徴付ける特性のパターンは縦軸に並行移動するだけで音質特性の本質は変わらない。仮に、結論づけられた  Pep  または  Uep  が比例係数を持っていたとしても、最終的には感度調整という方法によって、実用段階で調整される。
従って、Em−Ecan  に含まれる  ｛1／Rm｝  の項を無視することができる。
【００２６】
Qep  は  ｛1／Pep｝  として表現されるところの、Pep  の逆関数である。
一般的に任意の  Pep  に関して、その逆関数が実現可能な定数として算出できる、とは限らない。しかし、複数個ではあるが有数のフィルターの種類とパラメーターを調整することで、限られた条件内で、最も近いフィルターを構成することができる。
たとえば、１２個の二次のフィルターのパラメーターを調整し、近似させることもできるし、例え１個の二次のフィルターでも、それなりに、最も近いパラメーターを決定することができる。
Pep  に対応する  インパルス応答を算出することで、そのインパルス応答から逆関数を算出することもできる。また、与えられたタップ数と可変範囲の範囲で、FIRフィルターのタップの係数を調整し、Pep  の逆関数を求めることができる。
逆数に関しては、1／Rm、1／Eg0、1／Hsm0、1／Eg、1／Uep、も同様である。
Uep  の場合は  Pep  の平滑化特性  であることから、逆数を得る計算行程で有限でない項が現れることは実応用面で極めて希であり、事実上皆無である。このことは請求項２に記述の  Pep  の平滑化は極めて有効な方法である。
逆数を求める具体的計算手順は公知であり、本案発明の本質には属さないことから、詳細説明を省略する。
【００２７】
以下は  スムーシングされた  Pep  を元にスムーシングを作用させた  Uep  の算出方法に関する  請求項２  の補足説明である。
特定の周波数上の特性の、その付近の平均を取る方法に関して、
人の聴覚が周波数軸に対しても強度に対しても対数的に表現されることから、対数周波数軸の範囲で対数強度を平均化する方法が一般的である。
最も簡単な方法として、フーリエ変換された周波数軸は通常リニア尺度であることから、対数軸に換算して平均化するには、その周波数の付近において、対数軸でのウェイトが必要である。その一つの方法として特定の係数、たとえば、オクターブを対数的に  ８分割  あるいは  １６分割  あるいは  ３２分割  し、それらの周波数軸上の強度の相乗平均または加算平均を求める。それを全周波数帯で実行し、全体のスムースな特性を求める。強度の相乗平均または相加平均を求める際、求める周波数からの離れる程度にウェイトを設ける手法もある。
【００２８】
また、特定の周波数範囲で、表現可能な曲線の条件群を設定し、その条件群の制約の範囲内で表現できる曲線であって、元の特性に最も近い曲線を求める方法がある。表現可能な曲線の条件とは、例えば、曲線の次数を設定し、曲線が決定される関数表現のパラメーター群と、その関数の制約条件である境界条件群によって曲線を求める。
その求め方についても幾つかの方法があって、最小自乗法のような手法を利用して一義的に期待する特性に最も近い曲線を表現するパラメーター群を求める方法もあれば、適応制御的に、パラメーターを操作しながら最も近い曲線を表現するパラメーター群を探し当てる方法もある。境界条件とは、範囲内の特性の  両端の値、傾斜値、最大傾斜値  などがある。いずれにしてもこれらのスムーシングの方法は公知あり、本案の本質とするところではないので、詳細説明を省略する。
【００２９】
以上の説明と請求項での記述のように、
解決しようとする課題  第1、第２、第３  が  解決するための手段  第１、第２、第３、第４、第５  によって  解決される。
【００３０】
図２は簡素化した原理説明のブロック図である。請求項と図１は測定精度を高めるための信号処理の構造を正確に記述するものであるが、図２は以下のように、計測に不要な項を設計的に取り除くことで、実用的なわかりやすく簡素に表現したものである。測定精度を上げるために、信号源を電流源とすることによって、不要な多くのファクターを無視できる測定系とすることができる。さらに、電子回路の特性を知ることで、適応制御によって、端末器で測定はできないが、測定対象には不要なファクターを取り除くことができ、端末器だけの機能で、左右のイヤホンの結合係数を測定できる。記号と演算の表現式は請求項と同じである。
【００３１】
再生側イヤホンには電流源信号が加えられるので、検出側のイヤホン端子の起電力はディジタル化された段階で  共通リード線の電圧降下  と  検出側イヤホンの音響結合による起電力の和  となる。
Ec＊Zm  は測定された  Hsm0  を利用して、係数  k  による適応制御により  生成した  信号  Ecan  によって  相殺される。
結果、  Er  の項である  Glr＊Eg＊Zs＊Zm＊｛1／Rm｝  即ち  
Glr＊Eg＊Hsm0＊｛1／Rm｝  が測定値から演算行程を経て抽出される。
ここで、  Rm  は比例係数なので、音質補正とは無関係のファクターであり、削除することができる。
Eg  と  Hsm0  は測定系では既知のファクターであり、結果、
Glr  を  Rm＊｛1／Hsm0｝＊｛Em−Ecan｝＊｛1／Eg｝  として求めることができる。Glr  は、比例係数であるところの  Rm  を除いて、他の全てのファクターは  完全に既知の設計値  と  精密な実測値で表現されることを示す。
【００３２】
本案の重要なところは、
測定によって、端末器の電子回路特性を既知の定数とすること、
検出側イヤホンへの電気信号を電流源とすること、
端末器のマイク入力がイヤホンにくらべ高インピーダンスであることを利用すること、
適応制御によって、計測できないファクターである  イヤホンの共通リード線の電気抵抗  のファクターを高精度で取り除くこと、
である。
【００３３】
図３は、左右のイヤホンのリード線が一部を共有する場合の音響結合の説明図。
一般的なイヤホンのイヤピースを装着した状態で、左右のイヤホンを音響的に結合した状態を示す。
1  と  2  は、それぞれ左と右のイヤホン、3  は結合ピース、4  は測定用の電気信号の入力方向、5  は左のイヤホンの再生音が右のイヤホンに伝わる方向、6  は右のイヤホンの端子信号、7  はイヤホンプラグ、8  は左右のイヤホンのリード線の分岐点、9  は左右のイヤホンの共通リード線の部分、10  は左右のリード線の共通端子、11  は左のイヤホンのリード線、21  は右のイヤホンのリード線、12  は左イヤホンのリード線の端子、22  は右イヤホンのリード線の端子である。
左右のグランド線を共有している部分の長さはイヤホンの種類によっても異なる。中には、グランド線の共有部分がない種類もある。一般的には、イヤホンプラグの内部や携帯端末の内部の配線にも左右のグランド線の共有部分があるので、厳密には、全てのイヤホンでグランド線の共有部分が存在する、と考えられる。
【００３４】
イヤホンによっては、マイクロホンを付属しているものがあるが、マイクロホンの有無にかかわらず、マイクロホン系統の端子は測定系に接続しない。
【００３５】
図４は  本案の一実施例による、４種類の市販のイヤホンの  特性の補正  と  演算途中の特性と  補正特性  と  補正後の再生特性  を示す。
細かく、刃こぼれのような大半のギザギザの特性は入力信号がホワイトノイズであることによるもので、測定対象のイヤホンの特性ではない。中には、局部共振による極めて細かいリップルも含まれている。いずれにしても、細かい音質特性については、一般の音楽のリスニングで感じるものではない。期待再生特性  Wexp  が  １  即ち、期待特性が平坦の場合である。特性図の  40Hz  以下の周波数帯域での著しい低音減衰は  特性の観測に使ったモニター用の  FFT  の特性であって、演算結果そのものを示すものではない。
【００３６】
図４（ａ）は、市場では最も安価で、低音再生の強度が小さい一例
図４（ｂ）は、市場では比較的高価で、低音再生の強度が大きい一例
図４（ｃ）は、市場で最も高価な、一例
図４（ｄ）は、市場で最も普及している価格の一例の測定結果、
【００３７】
a1、b1、c1、d1  は、共通リード線の電圧降下を補正せずに測定した検出側イヤホンの端子電圧の測定結果、
a2、b2、c2、d2  は、共通リード線の電圧降下を差し引いた、補正後の検出側イヤホンの起電力から求めた  イヤホン固有の再生特性、
a3、b3、c3、d3  は、測定演算の結果から求めたイヤホン固有の再生特性を期待特性に補正を作用させた再生特性、
a4、b4、c4、d4  は、測定演算の結果から求めたイヤホン固有の再生特性から期待特性への補正特性である。
【００３８】
４種類のイヤホンはそれぞれ特徴があり、実使用状態でもそれぞれの音質に顕著な相違が
ある。４種類のいずれも、Wexp  が  1  の場合であることから、特性が平坦となるように補正されているが、補正後の音質にどのような音質が求められるかは、ユーザーの好みに依存することから、一般的には  Wexp  は任意の音質特性である。
また、イヤホンの装着状態によって、装着の深さは特に低音再生特性に大きく影響し、装着状態の角度は高音再生に大きく影響を及ぼす。このような理由から、期待特性は基本的に規準装着状態を想定した特性、または、幾つかの使用状態に対応した特性が望ましい。
補正後の特性は完全に平坦な特性ではないが、どの程度平坦にするか、一般的にはどの程度、期待特性に近づけるかについては、その程度に善し悪しがある。細かい凹凸は局部共振や装着状態による定在波などに依存し、実使用状態において不安定な特性の部類に入る。不安定な特性は音質に良い結果を生まない。いずれの補正結果の例も、高域で小刻みな波を残しているが、これ以上の細かい補正は実用上、音質的にも意味を持たない。図３は、実用的な範囲の適度な精度での補正例である。
【符号の説明】
【００３９】
PROGRAM  端末器内部の数値信号処理部、
CTL  測定系の操作インタフェース、制御、演算、記憶、を司る機能、
WG  測定用の時系列数値信号を発生する機能、
Eg  WG  が発生する測定用信号
MP  検出側イヤホンからの信号を時系列数値信号として読み取る機能、
START  システムを起動させる端末器への合図、
BASE  測定を機能させる端末器への合図、
MES  測定を機能させる端末器への合図、
Wexp  期待イヤホン特性
Hsm0  端末器の電子回路部の固有の特性
k、Kmin  共通リード線の電気抵抗の影響を除くための可変係数と  k  の特定の値
Pep  イヤホンの固有特性
Qep  イヤホンの音質補正特性
Uep  平滑化したイヤホンの固有特性
Vep  平滑化されたイヤホンの音質補正特性
【００４０】
DEVICE  数値信号と電気信号  の相互の変換部
Zs  数値信号を電気信号に変換する電子回路の変換特性
Zm  電気信号を数値信号に変換する電子回路の変換特性
Cs、Ls、Rs、Ms  それぞれ、左右のイヤホンの端子
【００４１】
CONVERT  端末器とイヤホンとの接続を変更する配線部
SW  測定モードのスイッチ
Cu、Lu、Ru、Mu  配線変換部の端子
Cv、Lv、Rv  は配線変換部の端子
Mv  使用しないマイクロホン端子
【００４２】
EARPHONE  計測対象のイヤホン
Rc  共通リード線の電気抵抗
Rl  再生側イヤホンのリード線の電気抵抗
Rr  検出側イヤホンのリード線の電気抵抗
Zl、El  再生側イヤホンの、電気インピーダンスと起電力
Zr、Er  検出側イヤホンの、電気インピーダンスと起電力
CP  は、左右のイヤホンの結合ピース
Ce、Le、Re  イヤホンの端子
Me  使用しないマイクロホン端子
【００４３】
1、2  それぞれ左と右のイヤホン
3  結合ピース
4  測定用の電気信号の入力方向
5  左のイヤホンの再生音が右のイヤホンに伝わる方向
6  右のイヤホンの端子信号
7  イヤホンプラグ
8  左右のイヤホンのリード線の分岐点
9  左右のイヤホンの共通リード線の部分
10  は左右のリード線の共通端子
11  左のイヤホンのリード線
21  右のイヤホンのリード線
12  左イヤホンのリード線の端子
22  右イヤホンのリード線の端子
【００４４】
a1、b1、c1、d1  共通リード線の電圧降下の補正なしの検出側イヤホンの端子電圧
a2、b2、c2、d2  共通リード線の電圧降下を差し引いた、イヤホン固有の再生特性
a3、b3、c3、d3  測定演算により求めたイヤホン固有の再生特性の補正後の再生特性
a4、b4、c4、d4  測定演算により求めたイヤホン固有の再生特性の補正特性